(57)【要約】プラズマディスプレイパネルに３Ｄ画像を表示する際に、クロストークを低減しつつ良好な画像表示品質を実現する。そのために、初期化期間に全セル初期化動作を行うサブフィールドを１フィールドの先頭サブフィールドにしてプラズマディスプレイパネルを駆動する駆動回路と、右目用タイミング信号および左目用タイミング信号からなるシャッタ開閉用タイミング信号を発生する制御信号発生回路とを備えたプラズマディスプレイ装置において、先頭サブフィールドの初期化期間は右目用タイミング信号および左目用タイミング信号がともにオフとなるシャッタ開閉用タイミング信号を発生し、残光時間の長い蛍光体を塗布された放電セルにおいては書込み動作を行わず、残光時間の短い蛍光体を塗布された放電セルにおいては先頭サブフィールドと同じ書込み動作を行う補助サブフィールドを１フィールド内に設ける。
2011111390.tif 000002
【特許請求の範囲】
【請求項１】
走査電極と維持電極とからなる表示電極対を有する放電セルを複数備えたプラズマディスプレイパネルと、
初期化期間と書込み期間と維持期間とを有するサブフィールドを複数用いて１フィールドを構成し、前記初期化期間において全ての放電セルに初期化動作を行うサブフィールドを１フィールドの先頭サブフィールドにするとともに、右目用画像信号および左目用画像信号を有する画像信号にもとづき前記右目用画像信号を表示する右目用フィールドと前記左目用画像信号を表示する左目用フィールドとを交互に繰り返して前記プラズマディスプレイパネルに画像を表示する駆動回路と、
前記プラズマディスプレイパネルに前記右目用フィールドを表示するときにオンとなり前記左目用フィールドを表示するときにオフとなる右目用タイミング信号と、前記左目用フィールドを表示するときにオンとなり前記右目用フィールドを表示するときにオフとなる左目用タイミング信号とからなるシャッタ開閉用タイミング信号を発生する制御信号発生回路と、を備え、
前記制御信号発生回路は、前記先頭サブフィールドの前記初期化期間は前記右目用タイミング信号および前記左目用タイミング信号がともにオフになる前記シャッタ開閉用タイミング信号を発生し、
前記駆動回路は、残光時間の長い蛍光体を塗布された放電セルにおいては書込み動作を行わず、残光時間の短い蛍光体を塗布された放電セルにおいては前記先頭サブフィールドと同じ書込み動作を行う補助サブフィールドを１フィールド内に設けて前記プラズマディスプレイパネルを駆動する
ことを特徴とするプラズマディスプレイ装置。
【請求項２】
前記駆動回路は、前記補助サブフィールドを１フィールドの最終サブフィールドとする
ことを特徴とする請求項１に記載のプラズマディスプレイ装置。
【請求項３】
前記駆動回路は、前記先頭サブフィールドを、輝度重みの最も小さいサブフィールドとするとともに、前記補助サブフィールドを前記先頭サブフィールドと同じ輝度重みとする
ことを特徴とする請求項１に記載のプラズマディスプレイ装置。
【請求項４】
前記残光時間の短い蛍光体を塗布された放電セルは青色に発光する放電セルであり、前記残光時間の長い蛍光体を塗布された放電セルは緑色に発光する放電セルおよび赤色に発光する放電セルである
ことを特徴とする請求項１に記載のプラズマディスプレイ装置。
【請求項５】
走査電極と維持電極とからなる表示電極対を有する放電セルを複数備えたプラズマディスプレイパネルと、
初期化期間と書込み期間と維持期間とを有するサブフィールドを複数用いて１フィールドを構成し、前記初期化期間において全ての放電セルに初期化動作を行うサブフィールドを１フィールドの先頭サブフィールドにするとともに、右目用画像信号および左目用画像信号を有する画像信号にもとづき前記右目用画像信号を表示する右目用フィールドと前記左目用画像信号を表示する左目用フィールドとを交互に繰り返して前記プラズマディスプレイパネルに画像を表示する駆動回路と、
前記プラズマディスプレイパネルに前記右目用フィールドを表示するときにオンとなり前記左目用フィールドを表示するときにオフとなる右目用タイミング信号と、前記左目用フィールドを表示するときにオンとなり前記右目用フィールドを表示するときにオフとなる左目用タイミング信号とからなるシャッタ開閉用タイミング信号を発生する制御信号発生回路と、
を有するプラズマディスプレイ装置と、
それぞれ独立にシャッタの開閉が可能な右目用シャッタおよび左目用シャッタを有し、前記制御信号発生回路で発生した前記シャッタ開閉用タイミング信号でシャッタの開閉が制御されるシャッタ眼鏡とを備え、
前記シャッタ眼鏡は、前記先頭サブフィールドの前記初期化期間は前記右目用シャッタおよび前記左目用シャッタがともに閉じた状態となり、前記右目用フィールドにおける前記先頭サブフィールドの前記維持期間は前記右目用シャッタの透過率の平均値が１００％未満となり、前記左目用フィールドにおける前記先頭サブフィールドの前記維持期間は前記左目用シャッタの透過率の平均値が１００％未満となり、
前記駆動回路は、残光時間の長い蛍光体を塗布された放電セルにおいては書込み動作を行わず、残光時間の短い蛍光体を塗布された放電セルにおいては前記先頭サブフィールドと同じ書込み動作を行う補助サブフィールドを１フィールド内に設けて前記プラズマディスプレイパネルを駆動する
ことを特徴とするプラズマディスプレイシステム。
【請求項６】
走査電極と維持電極とからなる表示電極対を有する放電セルを複数備えたプラズマディスプレイパネルの駆動方法であって、
初期化期間と書込み期間と維持期間とを有するサブフィールドを複数用いて１フィールドを構成し、前記初期化期間において全ての放電セルに初期化動作を行うサブフィールドを１フィールドの先頭サブフィールドにするとともに、右目用画像信号および左目用画像信号を有する画像信号にもとづき前記右目用画像信号を表示する右目用フィールドと前記左目用画像信号を表示する左目用フィールドとを交互に繰り返して前記プラズマディスプレイパネルに画像を表示し、
残光時間の長い蛍光体を塗布された放電セルにおいては書込み動作を行わず、残光時間の短い蛍光体を塗布された放電セルにおいては前記先頭サブフィールドと同じ書込み動作を行う補助サブフィールドを１フィールド内に設けて前記プラズマディスプレイパネルを駆動する
ことを特徴とするプラズマディスプレイパネルの駆動方法。
【発明の詳細な説明】
【技術分野】
【０００１】
本発明は、プラズマディスプレイパネルに交互に表示される右目用画像と左目用画像とからなる立体画像をシャッタ眼鏡を用いて立体視することができるプラズマディスプレイ装置、プラズマディスプレイシステム、およびプラズマディスプレイパネルの駆動方法に関する。
【背景技術】
【０００２】
プラズマディスプレイパネル（以下、「パネル」と略記する）として代表的な交流面放電型パネルは、対向配置された前面基板と背面基板との間に多数の放電セルが形成されている。前面基板は、１対の走査電極と維持電極とからなる表示電極対が前面側のガラス基板上に互いに平行に複数対形成されている。そして、それら表示電極対を覆うように誘電体層および保護層が形成されている。【０００３】
背面基板は、背面側のガラス基板上に複数の平行なデータ電極が形成され、それらデータ電極を覆うように誘電体層が形成され、さらにその上にデータ電極と平行に複数の隔壁が形成されている。そして、誘電体層の表面と隔壁の側面とに蛍光体層が形成されている。【０００４】
そして、表示電極対とデータ電極とが立体交差するように、前面基板と背面基板とを対向配置して密封する。密封された内部の放電空間には、例えば分圧比で５％のキセノンを含む放電ガスを封入し、表示電極対とデータ電極とが対向する部分に放電セルを形成する。このような構成のパネルにおいて、各放電セル内でガス放電により紫外線を発生し、この紫外線で赤色（Ｒ）、緑色（Ｇ）および青色（Ｂ）の各色の蛍光体を励起発光してカラーの画像表示を行う。【０００５】
パネルを駆動する方法としては一般にサブフィールド法が用いられている。サブフィールド法では、１フィールドを複数のサブフィールドに分割し、それぞれのサブフィールドで各放電セルを発光または非発光にすることにより階調表示を行う。各サブフィールドは、初期化期間、書込み期間および維持期間を有する。【０００６】
初期化期間では、各走査電極に初期化波形を印加し、各放電セルで初期化放電を発生する初期化動作を行う。これにより、各放電セルにおいて、続く書込み動作のために必要な壁電荷を形成するとともに、書込み放電を安定して発生するためのプライミング粒子（放電を発生させるための励起粒子）を発生する。【０００７】
書込み期間では、走査電極に走査パルスを順次印加するとともに、データ電極には表示すべき画像信号にもとづき選択的に書込みパルスを印加する。これにより、発光を行うべき放電セルの走査電極とデータ電極との間に書込み放電を発生し、その放電セル内に壁電荷を形成する（以下、これらの動作を総称して「書込み」とも記す）。【０００８】
維持期間では、サブフィールド毎に定められた輝度重みにもとづく数の維持パルスを走査電極と維持電極とからなる表示電極対に交互に印加する。これにより、書込み放電を発生した放電セルで維持放電を発生し、その放電セルの蛍光体層を発光させる（以下、放電セルを維持放電により発光させることを「点灯」、発光させないことを「非点灯」とも記す）。これにより、各放電セルを、輝度重みに応じた輝度で発光させる。このようにして、パネルの各放電セルを画像信号の階調値に応じた輝度で発光させて、パネルの画像表示領域に画像を表示する。【０００９】
パネルにおける画像表示品質を高める上で重要な要因の１つにコントラストの向上がある。そして、サブフィールド法の１つとして、階調表示に関係しない発光を極力減らしコントラスト比を向上させる駆動方法が開示されている。【００１０】
この駆動方法では、１フィールドを構成する複数のサブフィールドのうち、１つのサブフィールドの初期化期間では全ての放電セルに初期化放電を発生する初期化動作を行う。また、他のサブフィールドの初期化期間では直前のサブフィールドの維持期間で維持放電を発生した放電セルに対して選択的に初期化放電を発生する初期化動作を行う。【００１１】
維持放電を発生しない黒を表示する領域の輝度（以下、「黒輝度」と略記する）は画像の表示に関係のない発光、例えば、初期化放電によって生じる発光等によって変化する。そして、上述の駆動方法では、黒を表示する領域における発光は全ての放電セルに初期化動作を行うときの微弱発光だけとなる。これにより、黒輝度を低減してコントラストの高い画像を表示することが可能になる（例えば、特許文献１参照）。【００１２】
また、立体視が可能な３次元（３  Ｄｉｍｅｎｓｉｏｎ：以下「３Ｄ」と記す）画像（以下、「３Ｄ画像」と記す）をパネルに表示し、３Ｄ画像表示装置としてプラズマディスプレイ装置を用いることが検討されている。【００１３】
１枚の３Ｄ画像は、１枚の右目用画像と１枚の左目用画像とで構成されている。そして、このプラズマディスプレイ装置では、３Ｄ画像をパネルに表示する際には、右目用画像と左目用画像とをパネルに交互に表示する。【００１４】
そして、使用者は、右目用画像を表示するフィールドと左目用画像を表示するフィールドとのそれぞれに同期して左右のシャッタが交互に開閉するシャッタ眼鏡と呼ばれる特殊な眼鏡を用いて、パネルに表示されている３Ｄ画像を観賞する。【００１５】
シャッタ眼鏡は、右目用のシャッタと左目用のシャッタとを備え、パネルに右目用画像が表示されている期間は右目用のシャッタを開く（可視光を透過する状態のこと）とともに左目用のシャッタを閉じ（可視光を遮断する状態のこと）、左目用画像が表示されている期間は左目用のシャッタを開くとともに右目用のシャッタを閉じる。これにより、使用者は、右目用画像を右目だけで観測し、左目用画像を左目だけで観測することができ、パネルに表示される３Ｄ画像を立体視することができる。【００１６】
１枚の３Ｄ画像は、１枚の右目用画像と１枚の左目用画像とで構成される。そのため、３Ｄ画像を表示する際は、単位時間（例えば、１秒間）にパネルに表示される画像の半分が右目用画像となり、残りの半分が左目用画像となる。したがって、１秒間にパネルに表示される３Ｄ画像の数は、フィールド周波数（１秒間に表示されるフィールドの数）の半分となる。そして、単位時間にパネルに表示される画像の数が少なくなると、フリッカと呼ばれる画像のちらつきが見えやすくなる。【００１７】
３Ｄ画像でない画像、すなわち、右目用、左目用の区別がない通常画像（以下、「２Ｄ画像」と記す）をパネルに表示する際は、例えば、フィールド周波数が６０Ｈｚであれば、１秒間に６０枚の画像がパネルに表示される。したがって、単位時間にパネルに表示される３Ｄ画像の数を２Ｄ画像と同じ（例えば、６０枚／秒）にするためには、３Ｄ画像のフィールド周波数を２Ｄ画像の２倍（例えば、１２０Ｈｚ）に設定する必要がある。【００１８】
プラズマディスプレイ装置を用いて３Ｄ画像を立体視する方法の１つとして、例えば、複数のサブフィールドを、右目用画像を表示するサブフィールド群と左目用画像を表示するサブフィールド群とに分け、それぞれのサブフィールド群の最初のサブフィールドの書込み期間の開始に同期してシャッタ眼鏡のシャッタを開閉する方法が開示されている（例えば、特許文献２参照）。【００１９】
パネルの大画面化、高精細度化にともない画像表示品質のさらなる向上が望まれている。そして、３Ｄ画像表示装置として用いることができるプラズマディスプレイ装置においても、高い画像表示品質が望まれている。【００２０】
一方、パネルに用いられている蛍光体は、蛍光体の材料に依存した残光特性を有する。この残光とは、放電終了後も蛍光体が発光を持続する現象のことである。そして、維持放電を終了した後も数ｍｓｅｃの間は残光が持続するという特性を有する蛍光体材料も存在する。そのため、右目用画像（または左目用画像）を表示する期間が終了した後も、残光時間に応じて右目用画像（または左目用画像）がパネルに表示されることになる。以下、このような現象を「残像」と記す。【００２１】
そして、右目用画像の残像が消える前に左目用画像をパネルに表示すると、左目用画像に右目用画像が混入する現象が生じる。同様に、左目用画像の残像が消える前に右目用画像をパネルに表示すると、右目用画像に左目用画像が混入する現象が生じる。以下、このような現象を「クロストーク」と記す。そして、クロストークが発生すると、３Ｄ画像としての品質が低下する。
【先行技術文献】
【特許文献】
【００２２】
【特許文献１】特開２０００−２４２２２４号公報
【特許文献２】特開２０００−１１２４２８号公報
【発明の概要】
【００２３】
本発明は、走査電極と維持電極とからなる表示電極対を有する放電セルを複数備えたパネルと、初期化期間と書込み期間と維持期間とを有するサブフィールドを複数用いて１フィールドを構成し、初期化期間において全ての放電セルに初期化動作を行うサブフィールドを１フィールドの先頭サブフィールドにするとともに、右目用画像信号および左目用画像信号を有する画像信号にもとづき右目用画像信号を表示する右目用フィールドと左目用画像信号を表示する左目用フィールドとを交互に繰り返してパネルに画像を表示する駆動回路と、パネルに右目用フィールドを表示するときにオンとなり左目用フィールドを表示するときにオフとなる右目用タイミング信号と、左目用フィールドを表示するときにオンとなり右目用フィールドを表示するときにオフとなる左目用タイミング信号とからなるシャッタ開閉用タイミング信号を発生する制御信号発生回路と、を備えたプラズマディスプレイ装置であって、制御信号発生回路は、先頭サブフィールドの初期化期間は右目用タイミング信号および左目用タイミング信号がともにオフになるシャッタ開閉用タイミング信号を発生し、駆動回路は、残光時間の長い蛍光体を塗布された放電セルにおいては書込み動作を行わず、残光時間の短い蛍光体を塗布された放電セルにおいては先頭サブフィールドと同じ書込み動作を行う補助サブフィールドを１フィールド内に設けてパネルを駆動することを特徴とする。
【００２４】
これにより、３Ｄ画像表示装置として使用可能なプラズマディスプレイ装置において、３Ｄ画像をパネルに表示する際に、シャッタ眼鏡を通して表示画像を観賞する使用者に対して右目用画像と左目用画像との間に生じるクロストークを低減し、色相の変化を防止して品質の高い３Ｄ画像を実現することができる。
【００２５】
また、本発明のプラズマディスプレイ装置における駆動回路は、補助サブフィールドを１フィールドの最終サブフィールドとする構成であってもよい。これにより、さらにクロストークを低減することができる。
【００２６】
また、本発明のプラズマディスプレイ装置における駆動回路は、先頭サブフィールドを、輝度重みの最も小さいサブフィールドとするとともに、補助サブフィールドを先頭サブフィールドと同じ輝度重みとする構成であってもよい。
【００２７】
また、本発明のプラズマディスプレイ装置において、残光時間の短い蛍光体を塗布された放電セルは青色に発光する放電セルであり、残光時間の長い蛍光体を塗布された放電セルは緑色に発光する放電セルおよび赤色に発光する放電セルであってもよい。
【００２８】
また、本発明は、走査電極と維持電極とからなる表示電極対を有する放電セルを複数備えたパネルと、初期化期間と書込み期間と維持期間とを有するサブフィールドを複数用いて１フィールドを構成し、初期化期間において全ての放電セルに初期化動作を行うサブフィールドを１フィールドの先頭サブフィールドにするとともに、右目用画像信号および左目用画像信号を有する画像信号にもとづき右目用画像信号を表示する右目用フィールドと左目用画像信号を表示する左目用フィールドとを交互に繰り返してパネルに画像を表示する駆動回路と、パネルに右目用フィールドを表示するときにオンとなり左目用フィールドを表示するときにオフとなる右目用タイミング信号と、左目用フィールドを表示するときにオンとなり右目用フィールドを表示するときにオフとなる左目用タイミング信号とからなるシャッタ開閉用タイミング信号を発生する制御信号発生回路と、を有するプラズマディスプレイ装置と、それぞれ独立にシャッタの開閉が可能な右目用シャッタおよび左目用シャッタを有し、制御信号発生回路で発生したシャッタ開閉用タイミング信号でシャッタの開閉が制御されるシャッタ眼鏡とを備えたプラズマディスプレイシステムであって、シャッタ眼鏡は、先頭サブフィールドの初期化期間は右目用シャッタおよび左目用シャッタがともに閉じた状態となり、右目用フィールドにおける先頭サブフィールドの維持期間は右目用シャッタの透過率の平均値が１００％未満となり、左目用フィールドにおける先頭サブフィールドの維持期間は左目用シャッタの透過率の平均値が１００％未満となり、駆動回路は、残光時間の長い蛍光体を塗布された放電セルにおいては書込み動作を行わず、残光時間の短い蛍光体を塗布された放電セルにおいては先頭サブフィールドと同じ書込み動作を行う補助サブフィールドを１フィールド内に設けてパネルを駆動することを特徴とする。
【００２９】
これにより、３Ｄ画像表示装置として使用可能なプラズマディスプレイ装置を備えたプラズマディスプレイシステムにおいて、３Ｄ画像をパネルに表示する際に、シャッタ眼鏡を通して表示画像を観賞する使用者に対して右目用画像と左目用画像との間に生じるクロストークを低減し、色相の変化を防止して品質の高い３Ｄ画像を実現することができる。
【００３０】
また、本発明は、走査電極と維持電極とからなる表示電極対を有する放電セルを複数備えたパネルの駆動方法であって、初期化期間と書込み期間と維持期間とを有するサブフィールドを複数用いて１フィールドを構成し、初期化期間において全ての放電セルに初期化動作を行うサブフィールドを１フィールドの先頭サブフィールドにするとともに、右目用画像信号および左目用画像信号を有する画像信号にもとづき右目用画像信号を表示する右目用フィールドと左目用画像信号を表示する左目用フィールドとを交互に繰り返してパネルに画像を表示し、残光時間の長い蛍光体を塗布された放電セルにおいては書込み動作を行わず、残光時間の短い蛍光体を塗布された放電セルにおいては先頭サブフィールドと同じ書込み動作を行う補助サブフィールドを１フィールド内に設けてパネルを駆動することを特徴とする。
【００３１】
これにより、３Ｄ画像表示装置として使用可能なパネルにおいて、３Ｄ画像をパネルに表示する際に、シャッタ眼鏡を通して表示画像を観賞する使用者に対して右目用画像と左目用画像との間に生じるクロストークを低減し、色相の変化を防止して品質の高い３Ｄ画像を実現することができる。
【図面の簡単な説明】
【００３２】
【図１】図１は、本発明の一実施の形態におけるプラズマディスプレイ装置に用いるパネルの構造を示す分解斜視図である。
【図２】図２は、本発明の一実施の形態におけるプラズマディスプレイ装置に用いるパネルの電極配列図である。
【図３】図３は、本発明の一実施の形態におけるプラズマディスプレイ装置の回路ブロックおよびプラズマディスプレイシステムの概要を概略的に示す図である。
【図４】図４は、本発明の一実施の形態におけるプラズマディスプレイ装置に用いるパネルの各電極に印加する駆動電圧波形を概略的に示す図である。
【図５】図５は、本発明の一実施の形態におけるプラズマディスプレイ装置に用いるパネルの各電極に印加する駆動電圧波形およびシャッタ眼鏡の開閉動作を概略的に示す波形図である。
【図６】図６は、本発明の一実施の形態におけるプラズマディスプレイ装置に３Ｄ画像を表示する際のサブフィールド構成と右目用シャッタおよび左目用シャッタの開閉状態を概略的に示す図である。
【図７】図７は、本発明の一実施の形態におけるプラズマディスプレイ装置において３Ｄ画像を表示する際に用いる長残光蛍光体用コーディングを示す図である。
【図８】図８は、本発明の一実施の形態におけるプラズマディスプレイ装置において３Ｄ画像を表示する際に用いる短残光蛍光体用コーディングを示す図である。
【発明を実施するための形態】
【００３３】
以下、本発明の実施の形態におけるプラズマディスプレイ装置およびプラズマディスプレイシステムについて、図面を用いて説明する。
【００３４】
（実施の形態）
図１は、本発明の一実施の形態におけるプラズマディスプレイ装置に用いるパネル１０の構造を示す分解斜視図である。ガラス製の前面基板２１上には、走査電極２２と維持電極２３とからなる表示電極対２４が複数形成されている。そして、走査電極２２と維持電極２３とを覆うように誘電体層２５が形成され、その誘電体層２５上に保護層２６が形成されている。
【００３５】
この保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れた酸化マグネシウム（ＭｇＯ）を主成分とする材料で形成されている。
【００３６】
背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）に発光する蛍光体層３５Ｒ、緑色（Ｇ）に発光する蛍光体層３５Ｇ、および青色（Ｂ）に発光する蛍光体層３５Ｂが設けられている。以下、蛍光体層３５Ｒ、蛍光体層３５Ｇ、蛍光体層３５Ｂをまとめて蛍光体層３５とも記す。
【００３７】
本実施の形態においては、青色蛍光体としてＢａＭｇＡｌ１０Ｏ１７：Ｅｕを用い、緑色蛍光体としてＺｎ２ＳｉＯ４：Ｍｎを用い、赤色蛍光体として（Ｙ、Ｇｄ）ＢＯ３：Ｅｕを用いている。しかし、本発明は蛍光体層３５を形成する蛍光体が何ら上述の蛍光体に限定されるものではない。なお、蛍光体の残光が減衰する時間を表す時定数は、蛍光体材料により異なるが、青色蛍光体が１ｍｓｅｃ以下、緑色蛍光体が２ｍｓｅｃ〜５ｍｓｅｃ程度、赤色蛍光体が３ｍｓｅｃ〜４ｍｓｅｃ程度である。例えば、本実施の形態において、蛍光体層３５Ｂの時定数は約０．１ｍｓｅｃ程度であり、蛍光体層３５Ｇおよび蛍光体層３５Ｒの時定数は約３ｍｓｅｃ程度である。なお、この時定数は、放電終了後、放電発生時の発光輝度（ピーク輝度）の１０％程度まで残光が減衰するのに要する時間とする。
【００３８】
これら前面基板２１と背面基板３１とを、微小な放電空間を挟んで表示電極対２４とデータ電極３２とが交差するように対向配置する。そして、その外周部をガラスフリット等の封着材によって封着する。そして、その内部の放電空間には、例えばネオンとキセノンの混合ガスを放電ガスとして封入する。
【００３９】
放電空間は隔壁３４によって複数の区画に仕切られており、表示電極対２４とデータ電極３２とが交差する部分に放電セルが形成されている。
【００４０】
そして、これらの放電セルで放電を発生し、放電セルの蛍光体層３５を発光（放電セルを点灯）することにより、パネル１０にカラーの画像を表示する。
【００４１】
なお、パネル１０においては、表示電極対２４が延伸する方向に配列された連続する３つの放電セル、すなわち、赤色（Ｒ）に発光する放電セルと、緑色（Ｇ）に発光する放電セルと、青色（Ｂ）に発光する放電セルの３つの放電セルで１つの画素が構成される。
【００４２】
なお、パネル１０の構造は上述したものに限られるわけではなく、例えばストライプ状の隔壁を備えたものであってもよい。
【００４３】
図２は、本発明の一実施の形態におけるプラズマディスプレイ装置に用いるパネル１０の電極配列図である。パネル１０には、水平方向（行方向）に延長されたｎ本の走査電極ＳＣ１〜走査電極ＳＣｎ（図１の走査電極２２）およびｎ本の維持電極ＳＵ１〜維持電極ＳＵｎ（図１の維持電極２３）が配列され、垂直方向（列方向）に延長されたｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成される。すなわち、１対の表示電極対２４上には、ｍ個の放電セルが形成され、ｍ／３個の画素が形成される。そして、放電セルは放電空間内にｍ×ｎ個形成され、ｍ×ｎ個の放電セルが形成された領域がパネル１０の画像表示領域となる。例えば、画素数が１９２０×１０８０個のパネルでは、ｍ＝１９２０×３となり、ｎ＝１０８０となる。
【００４４】
そして、例えば、データ電極Ｄｐ（ｐ＝３×ｑ−２  ：  ｑはｍ／３以下の０を除く整数）を有する放電セルには赤の蛍光体が蛍光体層３５Ｒとして塗布され、データ電極Ｄｐ＋１を有する放電セルには緑の蛍光体が蛍光体層３５Ｇとして塗布され、データ電極Ｄｐ＋２を有する放電セルには青の蛍光体が蛍光体層３５Ｂとして塗布されている。
【００４５】
図３は、本発明の一実施の形態におけるプラズマディスプレイ装置４０の回路ブロックおよびプラズマディスプレイシステムの概要を概略的に示す図である。本実施の形態に示すプラズマディスプレイシステムは、プラズマディスプレイ装置４０とシャッタ眼鏡５０とを構成要素に含む。
【００４６】
プラズマディスプレイ装置４０は、走査電極２２と維持電極２３とデータ電極３２とを有する放電セルを複数配列したパネル１０と、パネル１０を駆動する駆動回路とを備えている。駆動回路は、画像信号処理回路４１、データ電極駆動回路４２、走査電極駆動回路４３、維持電極駆動回路４４、制御信号発生回路４５、および各回路ブロックに必要な電源を供給する電源回路（図示せず）を備えている。
【００４７】
駆動回路は、３Ｄ画像信号にもとづき右目用フィールドと左目用フィールドとを交互に繰り返してパネル１０に３Ｄ画像を表示する３Ｄ駆動と、右目用、左目用の区別がない２Ｄ画像信号にもとづきパネル１０に２Ｄ画像を表示する２Ｄ駆動とのいずれかでパネル１０を駆動する。また、プラズマディスプレイ装置４０は、使用者が使用するシャッタ眼鏡５０のシャッタの開閉を制御するシャッタ開閉用タイミング信号をシャッタ眼鏡５０に出力するタイミング信号出力部４６を備えている。シャッタ眼鏡５０は、３Ｄ画像をパネル１０に表示するときに使用者が使用するものであり、使用者はシャッタ眼鏡５０を通して３Ｄ画像を観賞することで３Ｄ画像を立体視することができる。
【００４８】
画像信号処理回路４１は、２Ｄ画像信号または３Ｄ画像信号が入力され、入力された画像信号にもとづき、各放電セルに階調値を割り当てる。そして、その階調値を、サブフィールド毎の発光・非発光を示す画像データ（発光・非発光をデジタル信号の「１」、「０」に対応させたデータのこと）に変換する。すなわち、画像信号処理回路４１は、１フィールド毎の画像信号をサブフィールド毎の発光・非発光を示す画像データに変換する。
【００４９】
画像信号処理回路４１に入力される画像信号が、赤の原色信号ｓｉｇＲ、緑の原色信号ｓｉｇＧ、青の原色信号ｓｉｇＢを含むときには、画像信号処理回路４１は、原色信号ｓｉｇＲ、原色信号ｓｉｇＧ、原色信号ｓｉｇＢにもとづき、各放電セルにＲ、Ｇ、Ｂの各階調値を割り当てる。また、入力される画像信号が輝度信号（Ｙ信号）および彩度信号（Ｃ信号、またはＲ−Ｙ信号およびＢ−Ｙ信号、またはｕ信号およびｖ信号等）を含むときには、その輝度信号および彩度信号にもとづき原色信号ｓｉｇＲ、原色信号ｓｉｇＧ、原色信号ｓｉｇＢを算出し、その後、各放電セルにＲ、Ｇ、Ｂの各階調値（１フィールドで表現される階調値）を割り当てる。そして、各放電セルに割り当てたＲ、Ｇ、Ｂの階調値を、サブフィールド毎の発光・非発光を示す画像データに変換する。
【００５０】
また、入力される画像信号が、右目用画像信号と左目用画像信号とを有する立体視用の３Ｄ画像信号であり、その３Ｄ画像信号をパネル１０に表示する際には、右目用画像信号と左目用画像信号とがフィールド毎に交互に画像信号処理回路４１に入力される。したがって、画像データ変換回路４９は、右目用画像信号を右目用画像データに変換し、左目用画像信号を左目用画像データに変換する。
【００５１】
制御信号発生回路４５は、入力信号にもとづき２Ｄ画像信号および３Ｄ画像信号のいずれがプラズマディスプレイ装置４０に入力されているのかを判別する。そして、その判別結果にもとづき、２Ｄ画像または３Ｄ画像をパネル１０に表示するために、各駆動回路を制御する制御信号を発生する。
【００５２】
具体的には、制御信号発生回路４５は、入力信号のうちの水平同期信号および垂直同期信号の周波数からプラズマディスプレイ装置４０への入力信号が３Ｄ画像信号なのか２Ｄ画像信号なのかを判断する。例えば、水平同期信号が３３．７５ｋＨｚ、垂直同期信号が６０Ｈｚであれば入力信号を２Ｄ画像信号と判断し、水平同期信号が６７．５ｋＨｚ、垂直同期信号が１２０Ｈｚであれば入力信号を３Ｄ画像信号と判断する。そして、水平同期信号および垂直同期信号にもとづき、各回路ブロックの動作を制御する各種の制御信号を発生する。そして、発生した制御信号をそれぞれの回路ブロック（データ電極駆動回路４２、走査電極駆動回路４３、維持電極駆動回路４４、および画像信号処理回路４１等）へ供給する。
【００５３】
また、制御信号発生回路４５は、３Ｄ画像をパネル１０に表示する際に、シャッタ眼鏡５０のシャッタの開閉を制御するシャッタ開閉用タイミング信号をタイミング信号出力部４６に出力する。なお、制御信号発生回路４５は、シャッタ眼鏡５０のシャッタを開く（可視光を透過する状態にする）ときにはシャッタ開閉用タイミング信号をオン（「１」）にし、シャッタ眼鏡５０のシャッタを閉じる（可視光を遮断する状態にする）ときにはシャッタ開閉用タイミング信号をオフ（「０」）にする。
【００５４】
また、シャッタ開閉用タイミング信号は、パネル１０に３Ｄ画像の右目用画像信号にもとづく右目用フィールドを表示するときにオンとなり、左目用画像信号にもとづく左目用フィールドを表示するときにオフとなる右目用タイミング信号（右目シャッタ開閉用タイミング信号）と、３Ｄ画像の左目用画像信号にもとづく左目用フィールドを表示するときにオンとなり、右目用画像信号にもとづく右目用フィールドを表示するときにオフとなる左目用タイミング信号（左目シャッタ開閉用タイミング信号）とからなる。
【００５５】
なお、本実施の形態では、制御信号発生回路４５は、３Ｄ駆動時に、先頭サブフィールドの初期化期間は右目用シャッタおよび左目用シャッタがともに閉じた状態となり、右目用フィールドにおける先頭サブフィールドの維持期間は右目用シャッタの透過率の平均値が１００％未満となり、左目用フィールドにおける先頭サブフィールドの維持期間は左目用シャッタの透過率の平均値が１００％未満となるようにシャッタ開閉用タイミング信号を発生する。この詳細については後述する。
【００５６】
なお、本実施の形態において、水平同期信号および垂直同期信号の周波数は、何ら上述した数値に限定されるものではない。また、入力信号に２Ｄ画像信号と３Ｄ画像信号とを判別するための判別信号が付加されているときには、制御信号発生回路４５は、その判別信号にもとづき、２Ｄ画像信号および３Ｄ画像信号のいずれが入力されているのかを判別する構成であってもよい。
【００５７】
走査電極駆動回路４３は、初期化波形発生回路、維持パルス発生回路、走査パルス発生回路（図３には示さず）を備え、制御信号発生回路４５から供給される制御信号にもとづいて駆動電圧波形を作成し、走査電極ＳＣ１〜走査電極ＳＣｎのそれぞれに印加する。初期化波形発生回路は、初期化期間に、制御信号にもとづいて走査電極ＳＣ１〜走査電極ＳＣｎに印加する初期化波形を発生する。維持パルス発生回路は、維持期間に、制御信号にもとづいて走査電極ＳＣ１〜走査電極ＳＣｎに印加する維持パルスを発生する。走査パルス発生回路は、複数の走査電極駆動ＩＣ（走査ＩＣ）を備え、書込み期間に、制御信号にもとづいて走査電極ＳＣ１〜走査電極ＳＣｎに印加する走査パルスを発生する。
【００５８】
維持電極駆動回路４４は、維持パルス発生回路、および電圧Ｖｅ１、電圧Ｖｅ２を発生する回路を備え（図３には示さず）、制御信号発生回路４５から供給される制御信号にもとづいて駆動電圧波形を作成し、維持電極ＳＵ１〜維持電極ＳＵｎのそれぞれに印加する。維持期間では、制御信号にもとづいて維持パルスを発生し、維持電極ＳＵ１〜維持電極ＳＵｎに印加する。
【００５９】
データ電極駆動回路４２は、２Ｄ画像信号にもとづく画像データ、または、３Ｄ画像信号にもとづく右目用画像データおよび左目用画像データを構成するサブフィールド毎のデータを、各データ電極Ｄ１〜データ電極Ｄｍに対応する信号に変換する。そして、その信号、および制御信号発生回路４５から供給される制御信号にもとづき、各データ電極Ｄ１〜データ電極Ｄｍを駆動する。書込み期間では書込みパルスを発生し、各データ電極Ｄ１〜データ電極Ｄｍに印加する。
【００６０】
タイミング信号出力部４６は、ＬＥＤ（Ｌｉｇｈｔ  Ｅｍｉｔｔｉｎｇ  Ｄｉｏｄｅ）等の発光素子を有する。そして、シャッタ開閉用タイミング信号を、例えば赤外線の信号に変換してシャッタ眼鏡５０に供給する。
【００６１】
シャッタ眼鏡５０は、タイミング信号出力部４６から出力される信号（例えば赤外線の信号）を受信する信号受信部と（図示せず）、右目用シャッタ５２Ｒおよび左目用シャッタ５２Ｌとを有する。右目用シャッタ５２Ｒおよび左目用シャッタ５２Ｌは、それぞれ独立にシャッタの開閉が可能である。そして、シャッタ眼鏡５０は、タイミング信号出力部４６から供給されるシャッタ開閉用タイミング信号にもとづいて右目用シャッタ５２Ｒおよび左目用シャッタ５２Ｌを開閉する。
【００６２】
右目用シャッタ５２Ｒは、右目用タイミング信号がオンのときには開き（可視光を透過し）、オフのときには閉じる（可視光を遮断する）。左目用シャッタ５２Ｌは、左目用タイミング信号がオンのときには開き（可視光を透過し）、オフのときには閉じる（可視光を遮断する）。
【００６３】
右目用シャッタ５２Ｒおよび左目用シャッタ５２Ｌは、例えば液晶を用いて構成することができる。ただし、本発明は、シャッタを構成する材料が何ら液晶に限定されるものではなく、可視光の遮断と透過とを高速に切り換えることができるものであればどのようなものであってもかまわない。
【００６４】
次に、パネル１０を駆動するための駆動電圧波形とその動作の概要について説明する。
【００６５】
本実施の形態におけるプラズマディスプレイ装置４０は、サブフィールド法によってパネル１０を駆動する。サブフィールド法では、１フィールドを時間軸上で複数のサブフィールドに分割し、各サブフィールドに輝度重みをそれぞれ設定する。したがって、各フィールドはそれぞれ複数のサブフィールドを有する。そして、それぞれのサブフィールドは初期化期間、書込み期間および維持期間を有する。
【００６６】
初期化期間では、放電セルに初期化放電を発生し、続く書込み期間における書込み放電に必要な壁電荷を各電極上に形成する初期化動作を行う。
【００６７】
書込み期間では、走査電極２２に走査パルスを印加するとともにデータ電極３２に選択的に書込みパルスを印加し、発光するべき放電セルに選択的に書込み放電を発生して、続く維持期間で維持放電を発生するための壁電荷をその放電セル内に形成する書込み動作を行う。
【００６８】
維持期間では、それぞれのサブフィールドに設定された輝度重みに所定の比例定数を乗じた数の維持パルスを走査電極２２および維持電極２３に交互に印加し、直前の書込み期間に書込み放電を発生した放電セルで維持放電を発生し、その放電セルを発光する維持動作を行う。この比例定数が輝度倍率である。
【００６９】
輝度重みとは、各サブフィールドで表示する輝度の大きさの比を表すものであり、各サブフィールドでは輝度重みに応じた数の維持パルスを維持期間に発生する。そのため、例えば、輝度重み「８」のサブフィールドは、輝度重み「１」のサブフィールドの約８倍の輝度で発光し、輝度重み「２」のサブフィールドの約４倍の輝度で発光する。
【００７０】
また、例えば、輝度倍率が２倍のとき、輝度重み「２」のサブフィールドの維持期間では、走査電極２２と維持電極２３とにそれぞれ４回ずつ維持パルスを印加する。そのため、その維持期間で発生する維持パルスの数は８となる。
【００７１】
こうして、画像信号に応じた組み合わせでサブフィールド毎に各放電セルの発光・非発光を制御して各サブフィールドを選択的に発光することにより、様々な階調を表示し、画像をパネル１０に表示することができる。
【００７２】
また、初期化動作には、直前のサブフィールドの動作にかかわらず放電セルに初期化放電を発生する全セル初期化動作と、直前のサブフィールドの書込み期間で書込み放電を発生し維持期間で維持放電を発生した放電セルだけに選択的に初期化放電を発生する選択初期化動作とがある。全セル初期化動作では上昇する上り傾斜波形電圧および下降する下り傾斜波形電圧を走査電極２２に印加し、画像表示領域内の全ての放電セルに初期化放電を発生する。そして、複数のサブフィールドのうち、１つのサブフィールドの初期化期間においては全セル初期化動作を行い（以下、全セル初期化動作を行う初期化期間を「全セル初期化期間」と記し、全セル初期化期間を有するサブフィールドを「全セル初期化サブフィールド」と記す）、他のサブフィールドの初期化期間においては選択初期化動作を行う（以下、選択初期化動作を行う初期化期間を「選択初期化期間」と記し、選択初期化期間を有するサブフィールドを「選択初期化サブフィールド」と記す）。
【００７３】
そして、本実施の形態では、各フィールドの先頭サブフィールド（フィールドの最初に発生するサブフィールド）のみを全セル初期化サブフィールドとする。すなわち、先頭サブフィールド（サブフィールドＳＦ１）の初期化期間では全セル初期化動作を行い、他のサブフィールドの初期化期間では選択初期化動作を行う。これにより、少なくとも１フィールドに１回は全ての放電セルに初期化放電を発生することができ、全セル初期化動作以降の書込み動作を安定化することができる。また、画像の表示に関係のない発光はサブフィールドＳＦ１における全セル初期化動作の放電にともなう発光のみとなる。したがって、維持放電を発生しない黒を表示する領域の輝度である黒輝度は全セル初期化動作における微弱発光だけとなり、パネル１０にコントラストの高い画像を表示することが可能となる。
【００７４】
しかし、本実施の形態は、１フィールドを構成するサブフィールドの数や各サブフィールドの輝度重みが上述した数値に限定されるものではない。また、画像信号等にもとづいてサブフィールド構成を切り換える構成であってもよい。
【００７５】
なお、本実施の形態において、プラズマディスプレイ装置４０に入力される画像信号は、２Ｄ画像信号、または３Ｄ画像信号であり、プラズマディスプレイ装置４０は、それぞれの画像信号に応じてパネル１０を駆動する。まず、２Ｄ画像信号がプラズマディスプレイ装置４０に入力されたときにパネル１０の各電極に印加する駆動電圧波形を説明する。次に、３Ｄ画像信号がプラズマディスプレイ装置４０に入力されたときにパネル１０の各電極に印加する駆動電圧波形を説明する。
【００７６】
図４は、本発明の一実施の形態におけるプラズマディスプレイ装置に用いるパネル１０の各電極に印加する駆動電圧波形を概略的に示す図である。図４には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形を示す。また、以下における走査電極ＳＣｉ、維持電極ＳＵｉ、データ電極Ｄｋは、各電極の中から画像データ（サブフィールド毎の発光・非発光を示すデータ）にもとづき選択された電極を表す。
【００７７】
また、図４には、サブフィールドＳＦ１とサブフィールドＳＦ２との２つのサブフィールドの駆動電圧波形を示している。サブフィールドＳＦ１は全セル初期化動作を行うサブフィールドであり、サブフィールドＳＦ２は選択初期化動作を行うサブフィールドである。したがって、サブフィールドＳＦ１とサブフィールドＳＦ２とでは、初期化期間に走査電極２２に印加する駆動電圧の波形形状が異なる。なお、他のサブフィールドにおける駆動電圧波形は、維持期間における維持パルスの発生数が異なる以外はサブフィールドＳＦ２の駆動電圧波形とほぼ同様である。
【００７８】
なお、本実施の形態におけるプラズマディスプレイ装置４０は、２Ｄ画像信号によってパネル１０を駆動する際には、１フィールドを８のサブフィールド（サブフィールドＳＦ１、サブフィールドＳＦ２、・・・、サブフィールドＳＦ８）で構成し、サブフィールドＳＦ１〜サブフィールドＳＦ８の各サブフィールドにそれぞれ（１、２、４、８、１６、３２、６４、１２８）の輝度重みを設定する例を説明する。
【００７９】
このように、本実施の形態では、２Ｄ画像信号によってパネル１０を駆動する際には、フィールドの最初に発生するサブフィールドＳＦ１を輝度重みの最も小さいサブフィールドとし、それ以降は輝度重みが順次大きくなるように各サブフィールドに輝度重みを設定し、フィールドの最後に発生するサブフィールドＳＦ８を輝度重みの最も大きいサブフィールドとする。
【００８０】
なお、本実施の形態は、１フィールドを構成するサブフィールドの数や各サブフィールドの輝度重みが上記の値に限定されるものではない。
【００８１】
まず、全セル初期化サブフィールドであるサブフィールドＳＦ１について説明する。
【００８２】
まず、サブフィールドＳＦ１について説明する。
【００８３】
全セル初期化動作を行うサブフィールドＳＦ１の初期化期間の前半部では、データ電極Ｄ１〜データ電極Ｄｍ、維持電極ＳＵ１〜維持電極ＳＵｎには、それぞれ電圧０（Ｖ）を印加する。走査電極ＳＣ１〜走査電極ＳＣｎには、電圧０（Ｖ）を印加した後に電圧Ｖｉ１を印加し、電圧Ｖｉ１から電圧Ｖｉ２に向かって緩やかに（例えば、１．３Ｖ／μｓｅｃの勾配で）上昇する上り傾斜波形電圧（以下、「ランプ電圧Ｌ１」と記す）を印加する。電圧Ｖｉ１は、維持電極ＳＵ１〜維持電極ＳＵｎに対して放電開始電圧よりも低い電圧に設定し、電圧Ｖｉ２は、放電開始電圧を超える電圧に設定する。
【００８４】
このランプ電圧Ｌ１が上昇する間に、各放電セルの走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が持続して発生する。そして、走査電極ＳＣ１〜走査電極ＳＣｎ上に負の壁電圧が蓄積され、データ電極Ｄ１〜データ電極Ｄｍ上および維持電極ＳＵ１〜維持電極ＳＵｎ上には正の壁電圧が蓄積される。この電極上の壁電圧とは、電極を覆う誘電体層上、保護層上、蛍光体層上等に蓄積された壁電荷により生じる電圧を表す。
【００８５】
サブフィールドＳＦ１の初期化期間の後半部では、維持電極ＳＵ１〜維持電極ＳＵｎには正の電圧Ｖｅ１を印加し、データ電極Ｄ１〜データ電極Ｄｍには電圧０（Ｖ）を印加する。走査電極ＳＣ１〜走査電極ＳＣｎには、電圧Ｖｉ３から負の電圧Ｖｉ４に向かって緩やかに（例えば、−２．５Ｖ／μｓｅｃの勾配で）下降する下り傾斜波形電圧（以下、「ランプ電圧Ｌ２」と記す）を印加する。電圧Ｖｉ３は、維持電極ＳＵ１〜維持電極ＳＵｎに対して放電開始電圧未満となる電圧に設定し、電圧Ｖｉ４は放電開始電圧を超える電圧に設定する。
【００８６】
このランプ電圧Ｌ２を走査電極ＳＣ１〜走査電極ＳＣｎに印加する間に、各放電セルの走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が発生する。そして、走査電極ＳＣ１〜走査電極ＳＣｎ上の負の壁電圧および維持電極ＳＵ１〜維持電極ＳＵｎ上の正の壁電圧が弱められ、データ電極Ｄ１〜データ電極Ｄｍ上の正の壁電圧は書込み動作に適した値に調整される。
【００８７】
以上により、サブフィールドＳＦ１の初期化期間における初期化動作、すなわち、全ての放電セルで強制的に初期化放電を発生する全セル初期化動作が終了し、全ての放電セルにおいて、続く書込み動作に必要な壁電荷が各電極上に形成される。
【００８８】
続くサブフィールドＳＦ１の書込み期間では、維持電極ＳＵ１〜維持電極ＳＵｎに電圧Ｖｅ２を印加し、走査電極ＳＣ１〜走査電極ＳＣｎのそれぞれには電圧Ｖｃ（Ｖｃ＝Ｖａ＋Ｖｓｃｎ）を印加する。
【００８９】
次に、最初に書込み動作を行う１行目の走査電極ＳＣ１に負の電圧Ｖａの負極性の走査パルスを印加する。そして、データ電極Ｄ１〜データ電極Ｄｍのうちの１行目において発光するべき放電セルのデータ電極Ｄｋに正の電圧Ｖｄの正極性の書込みパルスを印加する。
【００９０】
電圧Ｖｄの書込みパルスを印加した放電セルのデータ電極Ｄｋと走査電極ＳＣ１との交差部の電圧差は、外部印加電圧の差（電圧Ｖｄ−電圧Ｖａ）にデータ電極Ｄｋ上の壁電圧と走査電極ＳＣ１上の壁電圧との差が加算されたものとなる。これによりデータ電極Ｄｋと走査電極ＳＣ１との電圧差が放電開始電圧を超え、データ電極Ｄｋと走査電極ＳＣ１との間に放電が発生する。
【００９１】
また、維持電極ＳＵ１〜維持電極ＳＵｎに電圧Ｖｅ２を印加しているため、維持電極ＳＵ１と走査電極ＳＣ１との電圧差は、外部印加電圧の差である（電圧Ｖｅ２−電圧Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態とすることができる。
【００９２】
これにより、データ電極Ｄｋと走査電極ＳＣ１との間に発生する放電を引き金にして、データ電極Ｄｋと交差する領域にある維持電極ＳＵ１と走査電極ＳＣ１との間に放電が発生する。こうして、走査パルスと書込みパルスとが同時に印加された放電セル（発光するべき放電セル）に書込み放電が発生し、走査電極ＳＣ１上に正の壁電圧が蓄積され、維持電極ＳＵ１上に負の壁電圧が蓄積され、データ電極Ｄｋ上にも負の壁電圧が蓄積される。
【００９３】
このようにして、１行目の放電セルにおける書込み動作が終了する。なお、書込みパルスを印加しなかったデータ電極３２と走査電極ＳＣ１との交差部の電圧は放電開始電圧を超えないので、書込み放電は発生しない。
【００９４】
次に、２行目の走査電極ＳＣ２に走査パルスを印加するとともに、２行目に発光するべき放電セルに対応するデータ電極Ｄｋに書込みパルスを印加し、２行目の放電セルにおける書込み動作を行う。
【００９５】
以上の書込み動作を、走査電極ＳＣ３、走査電極ＳＣ４、・・・、走査電極ＳＣｎという順番で、ｎ行目の放電セルに至るまで順次行い、サブフィールドＳＦ１の書込み期間が終了する。このようにして、書込み期間では、発光するべき放電セルに選択的に書込み放電を発生し、その放電セルに壁電荷を形成する。
【００９６】
続くサブフィールドＳＦ１の維持期間では、まず維持電極ＳＵ１〜維持電極ＳＵｎにベース電位となる電圧０（Ｖ）を印加するとともに走査電極ＳＣ１〜走査電極ＳＣｎに正の電圧Ｖｓの維持パルスを印加する。
【００９７】
この維持パルスの印加により、書込み放電を発生した放電セルでは、走査電極ＳＣｉと維持電極ＳＵｉとの電圧差が、維持パルスの電圧Ｖｓに走査電極ＳＣｉ上の壁電圧と維持電極ＳＵｉ上の壁電圧との差が加算されたものとなる。
【００９８】
これにより、走査電極ＳＣｉと維持電極ＳＵｉとの電圧差が放電開始電圧を超え、走査電極ＳＣｉと維持電極ＳＵｉとの間に維持放電が発生する。そして、この放電により発生した紫外線により蛍光体層３５が発光する。また、この放電により、走査電極ＳＣｉ上に負の壁電圧が蓄積され、維持電極ＳＵｉ上に正の壁電圧が蓄積される。さらに、データ電極Ｄｋ上にも正の壁電圧が蓄積される。ただし、書込み期間において書込み放電が発生しなかった放電セルでは維持放電は発生しない。
【００９９】
続いて、走査電極ＳＣ１〜走査電極ＳＣｎには電圧０（Ｖ）を印加し、維持電極ＳＵ１〜維持電極ＳＵｎには電圧Ｖｓの維持パルスを印加する。直前に維持放電を発生した放電セルでは、維持電極ＳＵｉと走査電極ＳＣｉとの電圧差が放電開始電圧を超える。これにより、再び維持電極ＳＵｉと走査電極ＳＣｉとの間に維持放電が発生し、維持電極ＳＵｉ上に負の壁電圧が蓄積され、走査電極ＳＣｉ上に正の壁電圧が蓄積される。
【０１００】
以降同様に、走査電極ＳＣ１〜走査電極ＳＣｎと維持電極ＳＵ１〜維持電極ＳＵｎとに、輝度重みに所定の輝度倍率を乗じた数の維持パルスを交互に印加する。こうして表示電極対２４の電極間に電位差を与えることにより、書込み期間において書込み放電を発生した放電セルで維持放電が継続して発生する。
【０１０１】
そして、維持期間における維持パルスの発生後（維持期間の最後）に、維持電極ＳＵ１〜維持電極ＳＵｎおよびデータ電極Ｄ１〜データ電極Ｄｍには電圧０（Ｖ）を印加したまま、ベース電位である電圧０（Ｖ）から電圧Ｖｅｒｓに向かって緩やかに（例えば、約１０Ｖ／μｓｅｃの勾配で）上昇する傾斜波形電圧（以下、「消去ランプ電圧Ｌ３」と記す）を走査電極ＳＣ１〜走査電極ＳＣｎに印加する。
【０１０２】
走査電極ＳＣ１〜走査電極ＳＣｎへ印加する消去ランプ電圧Ｌ３が放電開始電圧を超えて上昇する間に、維持放電を発生した放電セルに微弱な放電が持続して発生する。この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、データ電極Ｄｋ上の正の壁電圧を残したまま、走査電極ＳＣｉおよび維持電極ＳＵｉ上の壁電圧が弱められる。すなわち、放電セル内における不要な壁電荷が消去される。
【０１０３】
走査電極ＳＣ１〜走査電極ＳＣｎに印加する電圧が電圧Ｖｅｒｓに到達したら、走査電極ＳＣ１〜走査電極ＳＣｎへの印加電圧を電圧０（Ｖ）まで下降する。こうして、サブフィールドＳＦ１の維持期間における維持動作が終了する。
【０１０４】
以上により、サブフィールドＳＦ１が終了する。
【０１０５】
選択初期化動作を行うサブフィールドＳＦ２の初期化期間では、サブフィールドＳＦ１における初期化期間の前半部を省略した駆動電圧波形を各電極に印加する選択初期化動作を行う。
【０１０６】
サブフィールドＳＦ２の初期化期間では、維持電極ＳＵ１〜維持電極ＳＵｎには電圧Ｖｅ１を、データ電極Ｄ１〜データ電極Ｄｍには電圧０（Ｖ）を、それぞれ印加する。走査電極ＳＣ１〜走査電極ＳＣｎには放電開始電圧未満となる電圧（例えば、電圧０（Ｖ））から負の電圧Ｖｉ４に向かってランプ電圧Ｌ２と同じ勾配（例えば、約−２．５Ｖ／μｓｅｃ）で下降する傾斜波形電圧（以下、「ランプ電圧Ｌ４」と記す）を印加する。電圧Ｖｉ４は、維持電極ＳＵ１〜維持電極ＳＵｎに対して放電開始電圧を超える電圧に設定する。
【０１０７】
このランプ電圧Ｌ４を走査電極ＳＣ１〜走査電極ＳＣｎに印加する間に、直前のサブフィールド（図４では、サブフィールドＳＦ１）の維持期間に維持放電を発生した放電セルでは微弱な初期化放電が発生する。そして、この初期化放電により、走査電極ＳＣｉ上および維持電極ＳＵｉ上の壁電圧が弱められる。また、データ電極Ｄｋ上には、直前のサブフィールドの維持期間に発生した維持放電によって十分な正の壁電圧が蓄積されているので、この壁電圧の過剰な部分が放電され、データ電極Ｄｋ上の壁電圧は書込み動作に適した壁電圧に調整される。
【０１０８】
一方、直前のサブフィールド（サブフィールドＳＦ１）の維持期間に維持放電を発生しなかった放電セルでは、初期化放電は発生せず、それ以前の壁電圧が保たれる。
【０１０９】
このように、サブフィールドＳＦ２における初期化動作は、直前のサブフィールドの書込み期間で書込み動作を行った放電セル、すなわち、直前のサブフィールドの維持期間に維持放電を発生した放電セルで選択的に初期化放電を発生する選択初期化動作となる。
【０１１０】
以上により、サブフィールドＳＦ２の初期化期間における初期化動作、すなわち、選択初期化動作が終了する。
【０１１１】
サブフィールドＳＦ２の書込み期間では、サブフィールドＳＦ１の書込み期間と同様の駆動電圧波形を各電極に印加し、発光するべき放電セルの各電極上に壁電圧を蓄積する書込み動作を行う。
【０１１２】
続く維持期間も、サブフィールドＳＦ１の維持期間と同様に、輝度重みに応じた数の維持パルスを走査電極ＳＣ１〜走査電極ＳＣｎと維持電極ＳＵ１〜維持電極ＳＵｎとに交互に印加し、書込み期間において書込み放電を発生した放電セルに維持放電を発生する。
【０１１３】
サブフィールドＳＦ３以降の各サブフィールドの初期化期間および書込み期間では、各電極に対してサブフィールドＳＦ２の初期化期間および書込み期間と同様の駆動電圧波形を印加する。また、サブフィールドＳＦ３以降の各サブフィールドの維持期間では、維持期間に発生する維持パルスの数を除き、サブフィールドＳＦ２と同様の駆動電圧波形を各電極に印加する。
【０１１４】
以上が、本実施の形態においてパネル１０の各電極に印加する駆動電圧波形の概要である。
【０１１５】
なお、本実施の形態において各電極に印加する電圧値は、例えば、電圧Ｖｉ１＝１４５（Ｖ）、電圧Ｖｉ２＝３３５（Ｖ）、電圧Ｖｉ３＝１９０（Ｖ）、電圧Ｖｉ４＝−１６０（Ｖ）、電圧Ｖａ＝−１８０（Ｖ）、電圧Ｖｓ＝１９０（Ｖ）、電圧Ｖｅｒｓ＝１９０（Ｖ）、電圧Ｖｅ１＝１２５（Ｖ）、電圧Ｖｅ２＝１３０（Ｖ）、電圧Ｖｄ＝６０（Ｖ）に設定している。また、電圧Ｖｃは、負の電圧Ｖａ＝−１８０（Ｖ）に正の電圧Ｖｓｃｎ＝１４５（Ｖ）を重畳する（Ｖｃ＝Ｖａ＋Ｖｓｃｎ）ことで発生することができ、その場合、電圧Ｖｃ＝−３５（Ｖ）となる。
【０１１６】
なお、上述した電圧値や傾斜波形電圧における勾配等の具体的な数値は単なる一例に過ぎず、本発明は、各電圧値や勾配が上述した数値に限定されるものではない。各電圧値や勾配等は、パネルの放電特性やプラズマディスプレイ装置の仕様等にもとづき最適に設定することが望ましい。
【０１１７】
次に、３Ｄ画像信号がプラズマディスプレイ装置４０に入力されたときにパネル１０の各電極に印加する駆動電圧波形を、シャッタ眼鏡５０におけるシャッタの開閉動作を交えて説明する。
【０１１８】
図５は、本発明の一実施の形態におけるプラズマディスプレイ装置４０に用いるパネル１０の各電極に印加する駆動電圧波形およびシャッタ眼鏡５０の開閉動作を概略的に示す波形図である。
【０１１９】
図５には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形を示す。また、図５には、右目用シャッタ５２Ｒおよび左目用シャッタ５２Ｌの開閉動作を示す。
【０１２０】
３Ｄ画像信号は、右目用画像信号と左目用画像信号とをフィールド毎に交互に繰り返す立体視用の画像信号である。そして、プラズマディスプレイ装置４０は、３Ｄ画像信号が入力されたときには、右目用画像信号を表示する右目用フィールドと、左目用画像信号を表示する左目用フィールドとを交互に繰り返して右目用画像と左目用画像とを交互にパネル１０に表示する。例えば、図５に示す３つのフィールド（フィールドＦ１〜フィールドＦ３）のうち、フィールドＦ１、フィールドＦ３は右目用フィールドであり、右目用画像信号をパネル１０に表示する。フィールドＦ２は左目用フィールドであり、左目用画像信号をパネル１０に表示する。こうして、プラズマディスプレイ装置４０は、右目用画像および左目用画像からなる立体視用の３Ｄ画像をパネル１０に表示する。
【０１２１】
シャッタ眼鏡５０を通してパネル１０に表示される３Ｄ画像を観賞する使用者には、２フィールドで表示される画像（右目用画像および左目用画像）が１枚の３Ｄ画像として認識される。そのため、使用者には、単位時間（例えば、１秒間）にパネル１０に表示される３Ｄ画像の枚数は、フィールド周波数（１秒間に発生するフィールドの数）の半分の数として観測される。
【０１２２】
例えば、パネルに表示される３Ｄ画像のフィールド周波数（１秒間に発生するフィールドの数）が６０Ｈｚであれば、１秒間にパネル１０に表示される右目用画像および左目用画像はそれぞれ３０枚ずつとなるため、使用者には、１秒間に３０枚の３Ｄ画像が観測されることになる。したがって、１秒間に６０枚の３Ｄ画像を表示するためには、フィールド周波数を６０Ｈｚの２倍の１２０Ｈｚに設定しなければならない。そこで、本実施の形態では、使用者に３Ｄ画像の動画像が滑らかに観測されるように、フィールド周波数を通常の２倍（例えば、１２０Ｈｚ）に設定し、フィールド周波数が低い画像を表示する際に発生しやすい画像のちらつき（フリッカ）を低減している。
【０１２３】
そして、使用者は、パネル１０に表示される３Ｄ画像を、右目用フィールドおよび左目用フィールドに同期して右目用シャッタ５２Ｒおよび左目用シャッタ５２Ｌをそれぞれ独立に開閉するシャッタ眼鏡５０を通して観賞する。これにより、使用者は、右目用画像を右目だけで観測し、左目用画像を左目だけで観測することができるので、パネル１０に表示される３Ｄ画像を立体視することができる。
【０１２４】
なお、右目用フィールドと左目用フィールドとは、表示する画像信号が異なるだけであり、１つのフィールドを構成するサブフィールドの数、各サブフィールドの輝度重み、サブフィールドの配列等、フィールドの構成は互いに同じである。そこで、以下、「右目用」と「左目用」との区別が必要ない場合には、右目用フィールドおよび左目用フィールドを単にフィールドと略記する。また、右目用画像信号および左目用画像信号を単に画像信号と略記する。また、フィールドの構成のことを、サブフィールド構成とも記す。
【０１２５】
上述したように、本実施の形態におけるプラズマディスプレイ装置４０は、３Ｄ画像信号によってパネル１０を駆動する際に、フリッカ（表示画像がちらついて見える現象のこと）を低減するために、フィールド周波数を、２Ｄ画像信号をパネル１０に表示するときの２倍（例えば、１２０Ｈｚ）にしている。そのため、３Ｄ画像信号をパネル１０に表示する際の１フィールドの期間（例えば、８．３ｍｓｅｃ）は、２Ｄ画像信号をパネル１０に表示する際の１フィールドの期間（例えば、１６．７ｍｓｅｃ）の半分となる。
【０１２６】
そこで、本実施の形態におけるプラズマディスプレイ装置４０は、３Ｄ画像信号によってパネル１０を駆動する際には、２Ｄ画像信号によってパネル１０を駆動する際よりも、１フィールドを構成するサブフィールドの数を少なくする。本実施の形態では、右目用フィールドおよび左目用フィールドをそれぞれ６つのサブフィールド（サブフィールドＳＦ１、サブフィールドＳＦ２、サブフィールドＳＦ３、サブフィールドＳＦ４、サブフィールドＳＦ５、サブフィールドＳＦ６）で構成する例を説明する。各サブフィールドは、２Ｄ画像信号によってパネル１０を駆動するときと同様に、初期化期間、書込み期間、維持期間を有する。そして、サブフィールドＳＦ１の初期化期間では全セル初期化動作を行い、他のサブフィールドの初期化期間では選択初期化動作を行う。
【０１２７】
また、サブフィールドＳＦ１〜サブフィールドＳＦ６の各サブフィールドはそれぞれ（１、１７、８、４、２、１）の輝度重みを有する。このように、本実施の形態では、フィールドの最初に発生するサブフィールドＳＦ１を輝度重みの最も小さいサブフィールドとし、２番目に発生するサブフィールドＳＦ２を輝度重みの最も大きいサブフィールドとし、それ以降は輝度重みが順次小さくなるように各サブフィールドに輝度重みを設定する。
【０１２８】
本実施の形態では、各フィールドをこのように構成することにより、右目用画像から左目用画像への発光の漏れ込み、および左目用画像から右目用画像への発光の漏れ込み（以下、「クロストーク」と呼称する）を低減するとともに、書込み動作を安定化している。この詳細については後述する。
【０１２９】
なお、各サブフィールドにおいて各電極に印加する駆動電圧波形は、維持期間に発生する維持パルス数が異なる以外は２Ｄ画像信号をパネル１０に表示するときと同様であるので、説明を省略する。
【０１３０】
このように、本実施の形態では、３Ｄ画像信号をパネル１０に表示する際に、１フィールドを構成する各サブフィールドを、サブフィールドＳＦ１を除き、サブフィールドの発生順に輝度重みを順次小さくし、各サブフィールドの輝度重みを、時間的に後に発生するサブフィールドほど小さくしている。これは、次のような理由による。
【０１３１】
パネル１０で用いられている蛍光体層３５は、その蛍光体を形成する材料に依存した残光特性を有する。この残光とは、放電終了後も蛍光体が発光を持続する現象のことである。そして、残光の強さは、蛍光体の発光時の輝度に比例し、蛍光体が発光したときの輝度が高いほど、残光も強くなる。また、残光は、蛍光体の特性に応じた時定数で減衰し、時間の経過とともに徐々に輝度が低下するが、維持放電を終了した後も数ｍｓｅｃの間は残光が持続するという特性を有する蛍光体材料も存在する。また、蛍光体が発光したときの輝度が高いほど、残光が十分に減衰するまでに要する時間も長くなる。
【０１３２】
輝度重みが大きいサブフィールドで生じる発光は輝度重みが小さいサブフィールドで生じる発光よりも輝度が高い。したがって、輝度重みが大きいサブフィールドで生じた発光による残光は、輝度重みが小さいサブフィールドで生じた発光による残光よりも、輝度が高くなり、減衰に要する時間も長くなる。
【０１３３】
そのため、１フィールドの最終サブフィールドを輝度重みの大きいサブフィールドにすると、最終サブフィールドを輝度重みの小さいサブフィールドにするときと比較して、続くフィールドに漏れ込む残光が増加する。
【０１３４】
右目用フィールドと左目用フィールドとを交互に発生してパネル１０に３Ｄ画像を表示するプラズマディスプレイ装置４０においては、１つのフィールドで発生した残光が続くフィールドに漏れ込むと、その残光は、画像信号とは関係のない不要な発光として使用者に観測されることとなる。この現象を、本実施の形態では、「クロストーク」と呼称する。
【０１３５】
したがって、１つのフィールドから次のフィールドに漏れ込む残光が増加するほど、クロストークは悪化し、３Ｄ画像の立体視は阻害され、プラズマディスプレイ装置４０における画像表示品質は劣化する。なお、この画像表示品質とは、シャッタ眼鏡５０を通して３Ｄ画像を観賞する使用者にとっての画像表示品質のことである。
【０１３６】
１つのフィールドから次のフィールドに漏れ込む残光を弱め、クロストークを低減するためには、輝度重みの大きいサブフィールドを１フィールドの早い時期に発生して強い残光をできるだけ自フィールド内で収束させ、かつ１フィールドの最終サブフィールドを輝度重みの小さいサブフィールドにして次フィールドへの残光の漏れ込みをできるだけ低減すればよい。
【０１３７】
すなわち、３Ｄ画像信号をパネル１０に表示する際のクロストークを抑制するためには、フィールドの初期に輝度重みが比較的大きいサブフィールドを発生し、以降、サブフィールドの発生順に輝度重みを小さくし、フィールドの最後のサブフィールドを輝度重みの比較的小さいサブフィールドにして、次フィールドへの残光の漏れ込みをできるだけ低減することが望ましい。
【０１３８】
これが、１フィールドを構成する複数のサブフィールドにおいて、サブフィールドＳＦ１を除く各サブフィールドの輝度重みを、時間的に後に発生するサブフィールドほど小さくなるように設定した理由である。なお、本実施の形態は、１フィールドを構成するサブフィールドの数や各サブフィールドの輝度重みが上記の値に限定されるものではない。例えば、サブフィールドＳＦ１を最も輝度重みの小さいサブフィールドとするとともにサブフィールドＳＦ２を最も輝度重みの大きいサブフィールドとし、サブフィールドＳＦ３以降、順次輝度重みを小さくし、フィールドの最後のサブフィールドを輝度重みが２番目に小さいサブフィールドにする構成であってもよい。
【０１３９】
一方、本実施の形態においては、サブフィールドＳＦ１を全セル初期化サブフィールドとしている。したがって、サブフィールドＳＦ１の初期化期間では、全ての放電セルにおいて、初期化放電を発生し、書込み動作に必要な壁電荷およびプライミング粒子を発生することができる。
【０１４０】
しかしながら、サブフィールドＳＦ１の初期化期間において全セル初期化動作によって発生した壁電荷およびプライミング粒子は、時間の経過とともに徐々に失われていく。そして、壁電荷およびプライミング粒子が不足すると、書込み動作が不安定になる。
【０１４１】
例えば、サブフィールドＳＦ１の全セル初期化動作で初期化放電が発生した後、途中のサブフィールドでは書込み動作が行われず、最終サブフィールドでのみ書込み動作が行われるような放電セルでは、時間の経過とともに壁電荷およびプライミング粒子が徐々に失われ、最終サブフィールドにおける書込み動作が不安定になるおそれがある。
【０１４２】
したがって、１フィールドの期間が３Ｄ駆動時と比較して長い２Ｄ駆動時においては、１フィールドの最終サブフィールドでのみ書込み動作を行う放電セルにおいて、書込み動作が不安定になりやすい。
【０１４３】
しかし、壁電荷およびプライミング粒子は維持放電の発生により補充される。例えば、サブフィールドＳＦ１の維持期間で維持放電が発生した放電セルでは、その維持放電により壁電荷およびプライミング粒子が補充される。
【０１４４】
また、一般的に視聴される動画においては、輝度重みが比較的小さいサブフィールドの方が、輝度重みが比較的大きいサブフィールドよりも維持放電が発生する頻度が高いことが確認されている。
【０１４５】
そのため、１フィールドの期間が３Ｄ駆動時と比較して長い２Ｄ駆動時においては、維持放電の発生頻度が高い輝度重みの小さいサブフィールドを１フィールドの最初に発生し、１フィールドのうち時間的に後に発生するサブフィールドほど輝度重みを大きくしている。こうすることで、２Ｄ駆動時において、１フィールドの初期における維持放電の発生確率を高め、１フィールドの初期に維持放電によって壁電荷およびプライミング粒子が補充される放電セルの数を増加させて、１フィールドの最終サブフィールドにおける書込み動作を安定に行なえるようにしている。
【０１４６】
一方、３Ｄ駆動時においては、上述したように、クロストークの低減のために、各サブフィールドの輝度重みを、１フィールドのうち時間的に後に発生するサブフィールドほど小さくなるように設定することが望ましい。しかしながら、輝度重みが最も大きいサブフィールドを先頭サブフィールドにすると、フィールドの最初のサブフィールドにおいて維持放電によって壁電荷およびプライミング粒子が補充される放電セルの数が減少する。また、輝度重みが大きいサブフィールドは、維持期間の長さも長くなる。そのため、後続のサブフィールドで書込み動作が不安定になるおそれがある。
【０１４７】
クロストークの低減と、１フィールドの最終サブフィールドにおける書込み動作の安定化とを両立するためには、各サブフィールドの輝度重みを、１フィールドのうち時間的に後に発生するサブフィールドほど小さくなるように設定して輝度重みの大きいサブフィールドを１フィールドの早い時期に発生させるとともに、フィールドの初期に維持放電を発生して壁電荷およびプライミング粒子を補充することができるサブフィールド構成にすることが望ましい。
【０１４８】
そこで、本実施の形態では、サブフィールドＳＦ１を輝度重みの最も小さいサブフィールドとする。したがって、サブフィールドＳＦ１の維持期間に維持放電が発生する確率を高めることができる。そして、サブフィールドＳＦ２を輝度重みの最も大きいサブフィールドとし、サブフィールドＳＦ３以降の各サブフィールドは輝度重みを順次小さくする構成とする。
【０１４９】
これにより、次フィールドへの残光の漏れ込みを低減してクロストークを低減するとともに、サブフィールドＳＦ１の維持期間に発生する維持放電によって壁電荷およびプライミング粒子を放電セル内に補充する放電セルの数を増加し、後続のサブフィールドにおける書込み動作の安定化を図ることが可能となる。
【０１５０】
次に、シャッタ眼鏡５０におけるシャッタの開閉動作の制御について説明する。
【０１５１】
なお、以下の説明に用いるシャッタの「透過率」とは、シャッタ眼鏡５０のシャッタがどの程度開いているのかを表すものであり、シャッタが完全に開いた状態を透過率１００％（透過率が最大）とし、シャッタが完全に閉じた状態を透過率０％（透過率が最小）として、可視光を透過する割合を百分率で表したものである。
【０１５２】
シャッタ眼鏡５０の右目用シャッタ５２Ｒおよび左目用シャッタ５２Ｌは、タイミング信号出力部４６から出力されシャッタ眼鏡５０で受信されるシャッタ開閉用タイミング信号（右目シャッタ開閉用タイミング信号および左目シャッタ開閉用タイミング信号）のオン・オフにもとづき、シャッタの開閉動作が制御される。
【０１５３】
制御信号発生回路４５は、プラズマディスプレイ装置４０の駆動回路が３Ｄ駆動を行っているときは、右目用フィールドおよび左目用フィールドともに、サブフィールドＳＦ１の初期化期間（全セル初期化期間）の間は、右目シャッタ開閉用タイミング信号および左目シャッタ開閉用タイミング信号がともにオフとなるように、シャッタ開閉用タイミング信号を発生する。
【０１５４】
本実施の形態においては、サブフィールドＳＦ１の全セル初期化動作により、全ての放電セルで初期化放電による発光が発生する。この発光は、わずかではあるが黒輝度を上昇させる。そこで、本実施の形態では、３Ｄ画像をパネル１０に表示する際に、右目用フィールドおよび左目用フィールドのいずれのフィールドにおいても、サブフィールドＳＦ１の初期化期間（全セル初期化期間）の間、右目用シャッタ５２Ｒおよび左目用シャッタ５２Ｌがともに閉じた状態となるようにシャッタ眼鏡５０を制御する。
【０１５５】
これにより、全セル初期化動作によって発生する発光は、右目用シャッタ５２Ｒおよび左目用シャッタ５２Ｌによって遮られ、使用者の目に入らなくなる。したがって、シャッタ眼鏡５０を通して３Ｄ画像を観賞する使用者（以下、単に「使用者」と記す）には、全セル初期化動作による発光が見えなくなり、その発光分の輝度が黒輝度において低減することになるので、コントラストの高い画像を観賞することができる。
【０１５６】
一方、右目用シャッタ５２Ｒおよび左目用シャッタ５２Ｌをともに閉じた状態にすることで、残光も遮られることになる。したがって、シャッタを開くタイミングをできるだけ遅くすることで、残光を遮る期間を長くすることができ、クロストークを低減する効果を高めることができる。
【０１５７】
なお、シャッタ眼鏡５０においては、シャッタを閉じ始めてから完全に閉じるまでに、または、シャッタを開き始めてから完全に開くまでに、シャッタを構成する材料（例えば、液晶）の特性に応じた時間がかかる。例えば、液晶でシャッタを構成するシャッタ眼鏡５０の場合、シャッタを閉じ始めてから完全に閉じるまでに０．５ｍｓｅｃ程度の時間がかかり、シャッタを開き始めてから完全に開くまでに２ｍｓｅｃ程度の時間がかかることがある。
【０１５８】
したがって、サブフィールドＳＦ１の維持期間においてシャッタの透過率を１００％にするためには、それらの時間を考慮して早めにシャッタを開き始めなければならない。
【０１５９】
ここで、本発明者は、時定数の大きい残光特性を有する蛍光体（長残光蛍光体）を用いた放電セルに関しては、維持期間が開始したときにシャッタが完全に開いていなくとも、視聴者には輝度の低下は実質的に知覚されないことを確認した。
【０１６０】
例えば、残光の時定数が３ｍｓｅｃ程度の長残光蛍光体を用いた放電セルでは、輝度重み「１」のサブフィールドであれば、維持期間におけるシャッタの透過率の平均値が５０％程度であっても、使用者には輝度の低下は実質的に知覚されないことを確認した。これは、長残光蛍光体を用いた放電セルでは、放電発生時にシャッタが十分開いていなくとも、残光がある間にシャッタが開いていくため、その残光を使用者が観測することで発光輝度が維持されるためと考えられる。
【０１６１】
上述したように、本実施の形態においては、蛍光体層３５Ｇおよび蛍光体層３５Ｒを構成する蛍光体に、残光の時定数が約３ｍｓｅｃ程度の長残光蛍光体を用いている。したがって、サブフィールドＳＦ１の維持期間におけるシャッタの透過率の平均値が５０％程度であっても、赤の放電セルと緑の放電セルとに関しては、使用者には輝度の低下は実質的に知覚されない。
【０１６２】
そこで、本実施の形態では、３Ｄ画像をパネル１０に表示する際には、サブフィールドＳＦ１の維持期間におけるシャッタ眼鏡５０の右目用シャッタ５２Ｒまたは左目用シャッタ５２Ｌの透過率の平均値が５０％程度になるように、シャッタ開閉用タイミング信号を発生するものとする。これにより、サブフィールドＳＦ１の維持期間においてシャッタの透過率の平均値が１００％になるようにシャッタ開閉用タイミング信号を発生する場合と比較して、シャッタを開くタイミングを遅延することができる。これにより、赤の放電セルと緑の放電セルとに関しては使用者に輝度の低下を実質的に知覚されることなく、右目用シャッタ５２Ｒおよび左目用シャッタ５２Ｌをともに閉じて残光を遮る期間を長くすることができるので、クロストークを低減することが可能となる。
【０１６３】
なお、時定数の小さい残光特性を有する蛍光体（短残光蛍光体）を用いた蛍光体層（例えば、蛍光体層３５Ｂ）を有する放電セルに関しては、シャッタの透過率が低下すると、使用者に輝度の低下を知覚されることがある。これは、短残光蛍光体を用いた放電セルでは、残光が少なく、使用者が観測することができる発光が放電発生時の発光に実質的に等しくなるため、放電発生時にシャッタが十分に開いていないと、使用者が観測することができる発光輝度が減少するためと考えられる。そして、長残光蛍光体を用いた放電セルと短残光蛍光体を用いた放電セルとに発光輝度の差が生じると、使用者にはそれが色相の変化として知覚されるおそれがある。本実施の形態では、短残光蛍光体を用いた放電セルにおいてサブフィールドＳＦ１の維持期間に生じる発光輝度の低下を補い、色相の変化が発生するのを防止しているが、その詳細については後述する。
【０１６４】
なお、本実施の形態では、残光の時定数が１ｍｓｅｃ以下の蛍光体を短残光蛍光体とし、残光の時定数が１ｍｓｅｃよりも長い蛍光体を長残光蛍光体とする。しかし、本発明は何らこれらの数値に限定されるものではない。
【０１６５】
次に、右目用シャッタ５２Ｒおよび左目用シャッタ５２Ｌの具体的な制御について説明する。
【０１６６】
図６は、本発明の一実施の形態におけるプラズマディスプレイ装置４０に３Ｄ画像を表示する際のサブフィールド構成と右目用シャッタ５２Ｒおよび左目用シャッタ５２Ｌの開閉状態を概略的に示す図である。図６には、走査電極ＳＣ１に印加する駆動電圧波形と、シャッタ眼鏡５０の右目用シャッタ５２Ｒおよび左目用シャッタ５２Ｌの開閉状態とを示す。また、図６には２つのフィールド（右目用フィールドＦ１、左目用フィールドＦ２）を示す。
【０１６７】
図６のシャッタ眼鏡５０の開閉状態を示す図では、透過率を用いて右目用シャッタ５２Ｒおよび左目用シャッタ５２Ｌの開閉状態を表している。図６のシャッタの開閉を示す図面において、縦軸は、シャッタが完全に開いた状態の透過率（透過率が最大のとき）を１００％とし、シャッタが完全に閉じた状態の透過率（透過率が最小のとき）を０％として、シャッタの透過率を相対的に表している。また、横軸は時間を表している。
【０１６８】
本実施の形態において、制御信号発生回路４５は、プラズマディスプレイ装置４０の駆動回路が３Ｄ駆動を行っているときは、右目用フィールドおよび左目用フィールドともに、サブフィールドＳＦ１の全セル初期化期間は右目シャッタ開閉用タイミング信号および左目シャッタ開閉用タイミング信号がともにオフとなるように、シャッタ開閉用タイミング信号を発生する。そして、サブフィールドＳＦ１の維持期間は、右目用シャッタ５２Ｒまたは左目用シャッタ５２Ｌの透過率の平均値が１００％未満（例えば、５０％程度）になるように、シャッタ開閉用タイミング信号を発生する。
【０１６９】
すなわち、制御信号発生回路４５は、右目用フィールド（例えば、フィールドＦ１）では、右目用シャッタ５２Ｒが、先頭サブフィールドであるサブフィールドＳＦ１の初期化期間が終了するまでは閉じ、サブフィールドＳＦ１の維持期間における透過率の平均値が１００％未満（例えば、５０％程度）になるようにサブフィールドＳＦ１の維持期間の開始前に開き、最終サブフィールド（例えば、サブフィールドＳＦ６）の維持期間の維持パルス発生終了後に閉じるように、右目シャッタ開閉用タイミング信号を発生する。
【０１７０】
制御信号発生回路４５は、左目用フィールド（例えば、フィールドＦ２）では、左目用シャッタ５２Ｌが、サブフィールドＳＦ１の初期化期間が終了するまでは閉じ、サブフィールドＳＦ１の維持期間における透過率の平均値が１００％未満（例えば、５０％程度）になるようにサブフィールドＳＦ１の維持期間の開始前に開き、最終サブフィールド（例えば、サブフィールドＳＦ６）の維持期間の維持パルス発生終了後に閉じるように、左目シャッタ開閉用タイミング信号を発生する。
【０１７１】
具体的には、制御信号発生回路４５は、シャッタ眼鏡５０のシャッタを閉じる際には、フィールドＦ１の全セル初期化動作の開始直前の時刻ｔ１（時刻ｔ９も同様）において、それまで開いていた左目用シャッタ５２Ｌが完全に閉じ、フィールドＦ１の全セル初期化期間は左目用シャッタ５２Ｌおよび右目用シャッタ５２Ｒがともに透過率が０％になるようにシャッタ開閉用タイミング信号を発生する。
【０１７２】
また、制御信号発生回路４５は、フィールドＦ２の全セル初期化動作の開始直前の時刻ｔ５において、それまで開いていた右目用シャッタ５２Ｒが完全に閉じ、フィールドＦ２の全セル初期化期間は左目用シャッタ５２Ｌおよび右目用シャッタ５２Ｒがともに透過率が０％になるようにシャッタ開閉用タイミング信号を発生する。
【０１７３】
シャッタ眼鏡５０のシャッタを開く際には、制御信号発生回路４５は、右目用フィールドＦ１のサブフィールドＳＦ１における維持期間の中間時点となる時刻ｔ２において右目用シャッタ５２Ｒの透過率が５０％程度となり、かつ、サブフィールドＳＦ２の維持期間の開始直前の時刻ｔ３において右目用シャッタ５２Ｒの透過率が９０％以上となるように、望ましくは透過率が１００％となるように、右目シャッタ開閉用タイミング信号を発生する。
【０１７４】
また、制御信号発生回路４５は、左目用フィールドＦ２のサブフィールドＳＦ１における維持期間の中間時点となる時刻ｔ６において左目用シャッタ５２Ｌの透過率が５０％程度となり、かつ、サブフィールドＳＦ２の維持期間の開始直前の時刻ｔ７において左目用シャッタ５２Ｌの透過率が９０％以上となるように、望ましくは１００％となるように、左目シャッタ開閉用タイミング信号を発生する。
【０１７５】
以上と同様の動作を、各フィールドで繰り返す。
【０１７６】
なお、シャッタ眼鏡５０においては、シャッタの開閉に、シャッタを構成する材料（例えば、液晶）の特性に応じた時間がかかる。そこで、本実施の形態では、シャッタを閉じる際には、全セル初期化動作の開始直前において、シャッタの透過率が３０％以下となるように、望ましくは１０％以下となるように、シャッタを閉じるタイミングを設定してもよい。例えば、図６に示す例では、右目用フィールドＦ１の先頭サブフィールドであるサブフィールドＳＦ１における全セル初期化動作の開始直前の時刻ｔ１において左目用シャッタ５２Ｌの透過率が３０％以下となるように、望ましくは１０％以下となるように、制御信号発生回路４５は左目シャッタ開閉用タイミング信号を発生してもよい。また、左目用フィールドＦ２の先頭サブフィールドであるサブフィールドＳＦ１における全セル初期化動作の開始直前の時刻ｔ５において右目用シャッタ５２Ｒの透過率が３０％以下となるように、望ましくは１０％以下となるように、制御信号発生回路４５は右目シャッタ開閉用タイミング信号を発生してもよい。
【０１７７】
このとき、シャッタを閉じ始めてから完全に閉じるまでに要する時間を考慮して、最終サブフィールドの維持期間における維持パルスの発生終了から先頭サブフィールドの全セル初期化動作開始までの時間を設定することが望ましい。例えば、図６に示す例では、少なくとも、右目用フィールドＦ１の最終サブフィールドであるサブフィールドＳＦ６の維持パルス発生終了直後の時刻ｔ４に右目用シャッタ５２Ｒを閉じ始めたときに、時刻ｔ５で右目用シャッタ５２Ｒの透過率が３０％以下になるように、望ましくは１０％以下となるように、時刻ｔ４から時刻ｔ５までの間隔を設ける。
【０１７８】
同様に、少なくとも、左目用フィールドＦ２の最終サブフィールドであるサブフィールドＳＦ６の維持パルス発生終了直後の時刻ｔ８に左目用シャッタ５２Ｌを閉じ始めたときに、続く右目用フィールドのサブフィールドＳＦ１における全セル初期化動作の開始直前の時刻ｔ９で左目用シャッタ５２Ｌの透過率が３０％以下になるように、望ましくは１０％以下となるように、時刻ｔ８から時刻ｔ９までの間隔を設ける。
【０１７９】
また、シャッタを開く際には、サブフィールドＳＦ２の維持期間の開始直前において、シャッタの透過率が７０％以上となるように、望ましくは９０％以上となるように、シャッタを開くタイミングを設定する。例えば、図６に示す例では、右目用フィールドＦ１のサブフィールドＳＦ２における維持パルスの発生直前の時刻ｔ３において、右目用シャッタ５２Ｒの透過率が７０％以上となるように、望ましくは９０％以上となるように、シャッタを開くタイミングを設定する。また、左目用フィールドＦ２のサブフィールドＳＦ２における維持パルスの発生直前の時刻ｔ７において、左目用シャッタ５２Ｌの透過率が７０％以上となるように、望ましくは９０％以上となるように、シャッタを開くタイミングを設定する。
【０１８０】
このとき、シャッタを開き始めてから完全に開くまでに要する時間を考慮して、サブフィールドＳＦ１の終了からサブフィールドＳＦ２における維持期間の開始までの時間を設定することが望ましい。
【０１８１】
例えば、図６に示す例では、少なくとも、時刻ｔ３で右目用シャッタ５２Ｒの透過率が７０％以上になるように、望ましくは９０％以上となるように、時刻ｔ２から時刻ｔ３までの間隔を設ける。
【０１８２】
同様に、少なくとも、時刻ｔ７で左目用シャッタ５２Ｌの透過率が７０％以上になるように、望ましくは９０％以上となるように、時刻ｔ６から時刻ｔ７までの間隔を設ける。
【０１８３】
このように、本実施の形態では、シャッタを閉じ始めてから完全に閉じるまでに要する時間、および、シャッタを開き始めてから完全に開くまでに要する時間を考慮し、シャッタの開閉動作を制御する。
【０１８４】
なお、シャッタ開閉用タイミング信号をどのタイミングでオンからオフにし、オフからオンにするかは、シャッタ眼鏡５０の特性およびフィールドの構成に応じてあらかじめ設定し、制御信号発生回路４５は、あらかじめ設定されたそのタイミングに応じてシャッタ開閉用タイミング信号を発生するものとする。そして、シャッタ眼鏡５０の右目用シャッタ５２Ｒおよび左目用シャッタ５２Ｌは、タイミング信号出力部４６から出力されるシャッタ開閉用タイミング信号（右目シャッタ開閉用タイミング信号および左目シャッタ開閉用タイミング信号）のオン・オフにもとづき開閉動作が制御される。
【０１８５】
本実施の形態においては、このようにシャッタ開閉用タイミング信号を発生することで、シャッタ眼鏡５０は、右目用フィールドおよび左目用フィールドのいずれのフィールドにおいても、全セル初期化サブフィールド（サブフィールドＳＦ１）の初期化期間（全セル初期化期間）は、右目用シャッタ５２Ｒおよび左目用シャッタ５２Ｌはともに閉じた状態となる。したがって、全セル初期化動作によって発生する発光が、右目用シャッタ５２Ｒおよび左目用シャッタ５２Ｌによって遮られ、使用者の目に入らない状態となる。これにより、シャッタ眼鏡５０を通して３Ｄ画像を観賞する使用者には、全セル初期化動作による発光が見えなくなり、その発光分の輝度を黒輝度において低減することが可能となる。
【０１８６】
また、シャッタ眼鏡５０の右目用シャッタ５２Ｒまたは左目用シャッタ５２Ｌの透過率の平均値がサブフィールドＳＦ１の維持期間において５０％程度になるようにシャッタ開閉用タイミング信号を発生することで、サブフィールドＳＦ１の維持期間においてシャッタの透過率の平均値が１００％になるようにシャッタ開閉用タイミング信号を発生する場合と比較して、右目用シャッタ５２Ｒおよび左目用シャッタ５２Ｌをともに閉じて残光を遮る期間を長くすることができる。したがって、長残光蛍光体を用いた蛍光体層（例えば、残光の時定数が約３ｍｓｅｃ程度の蛍光体を用いた蛍光体層３５Ｇおよび蛍光体層３５Ｒ）を有する放電セルに関しては、使用者に輝度の低下を実質的に知覚されることなく、前フィールドからの残光をより見えにくくすることができる。これにより、クロストークを低減する効果を高めることが可能となる。
【０１８７】
なお、本実施の形態では、サブフィールドＳＦ１の維持期間におけるシャッタの透過率の平均値を５０％程度とする例を説明したが、本発明は何らこの数値に限定されるものではない。サブフィールドＳＦ１において、長残光蛍光体を用いた蛍光体層を有する放電セルにおける輝度の低下が視聴者に知覚されない程度までは、シャッタを開くタイミングを遅らせてシャッタの透過率を下げてもかまわない。シャッタを開くタイミングをどこにし、サブフィールドＳＦ１の維持期間におけるシャッタの透過率の平均値をどの程度とするかは、蛍光体の残光特性やパネルの特性、プラズマディスプレイ装置の仕様等に応じて最適に設定することが望ましい。
【０１８８】
なお、時定数の小さい残光特性を有する蛍光体（短残光蛍光体）を用いた蛍光体層（例えば、蛍光体層３５Ｂ）を有する放電セルに関しては、シャッタの透過率が低下すると、使用者に輝度の低下を知覚されることがある。
【０１８９】
例えば、蛍光体層３５Ｒ、蛍光体層３５Ｇには長残光蛍光体を用い、蛍光体層３５Ｂには短残光蛍光体を用いるとともに、サブフィールドＳＦ１の維持期間におけるシャッタの透過率の平均値が５０％となるようにシャッタ眼鏡５０を制御したとする。そのときに、使用者に、サブフィールドＳＦ１の維持期間における青の発光輝度が半減したように知覚されれば、その使用者には、青の輝度が低下して色相が変化した画像が観測されることになる。そこで、本実施の形態では、短残光蛍光体を用いた放電セルにおいてサブフィールドＳＦ１の維持期間に生じる発光輝度の低下を補い、色相の変化が発生するのを防止している。以下、その詳細について説明する。
【０１９０】
なお、以下、表示すべき階調の大きさと、その階調をパネル１０に表示するときの各サブフィールドの書込み動作との関係を「コーディング」と記す。また、以下の説明においては、１つのフィールドをサブフィールドＳＦ１からサブフィールドＳＦ６までの６のサブフィールドで構成し、サブフィールドＳＦ１からサブフィールドＳＦ６までの各サブフィールドは（１、１７、８、４、２、１）の輝度重みを有するものとする。
【０１９１】
なお、本実施の形態では、サブフィールドＳＦ６は後述するように補助サブフィールドとなる。また、本実施の形態では、蛍光体層３５Ｂに短残光蛍光体を用い、蛍光体層３５Ｒ、蛍光体層３５Ｇに長残光蛍光体を用いるものとして以下の説明を行う。しかし、本発明は何らこの構成に限定されるものではない。
【０１９２】
図７は、本発明の一実施の形態におけるプラズマディスプレイ装置４０において３Ｄ画像を表示する際に用いる長残光蛍光体用コーディングを示す図である。図８は、本発明の一実施の形態におけるプラズマディスプレイ装置４０において３Ｄ画像を表示する際に用いる短残光蛍光体用コーディングを示す図である。
【０１９３】
図７に示す長残光蛍光体用コーディングは、残光時間の長い蛍光体を用いた蛍光体層（例えば、蛍光体層３５Ｒ、蛍光体層３５Ｇ）を有する放電セルに対応した原色信号（例えば、原色信号ｓｉｇＲ、原色信号ｓｉｇＧ）に用いるコーディングの一例を示したものである。また、図８に示す短残光蛍光体用コーディングは、残光時間の短い蛍光体を用いた蛍光体層（例えば、蛍光体層３５Ｂ）を有する放電セルに対応した原色信号（例えば、原色信号ｓｉｇＢ）に用いるコーディングの一例を示したものである。また、図７、図８には、書込み動作を行うことを「１」で示し、書込み動作を行わないことを「０」で示している。
【０１９４】
各サブフィールドでは、図７、図８に示したコーディングに従って書込み動作を行う。例えば、階調値「０」を表示する放電セルでは、短残光蛍光体用コーディング、長残光蛍光体用コーディングともに、サブフィールドＳＦ１〜サブフィールドＳＦ６の全てのサブフィールドで書込み動作を行わない。これにより、その放電セルでは一度も維持放電が発生せず、最も輝度の低い階調値「０」が表示される。
【０１９５】
また、長残光蛍光体用コーディングにもとづき書込み動作を行う放電セルに関しては、例えば、階調値「１」を表示する放電セルでは、輝度重み「１」を持つサブフィールドであるサブフィールドＳＦ１でのみ書込み動作を行い、それ以外のサブフィールドでは書込み動作を行わない。これにより、その放電セルでは、輝度重み「１」に応じた回数の維持放電が発生し、階調値「１」に相当する明るさの発光が生じて階調値「１」を表示する。また、例えば、階調値「１３」を表示する放電セルでは、輝度重み「１」のサブフィールドＳＦ１と、輝度重み「８」のサブフィールドＳＦ３と、輝度重み「４」のサブフィールドＳＦ４とで書込み動作を行い、それ以外のサブフィールドでは書込み動作を行わない。これにより、その放電セルでは輝度重み「１３」に応じた回数の維持放電が発生し、階調値「１３」に相当する明るさの発光が生じて階調値「１３」を表示する。長残光蛍光体用コーディングにもとづき制御される放電セルに関しては、他の階調値についても同様に、図７に示すコーディングに従ってそれぞれのサブフィールドで書込み動作を制御する。
【０１９６】
一方、短残光蛍光体用コーディングにもとづき書込み動作が行われる放電セルに関しては、例えば、階調値「１」を表示する放電セルでは、輝度重み「１」のサブフィールドＳＦ１で書込み動作を行うとともに、サブフィールドＳＦ１と同じ輝度重み「１」を持つサブフィールドＳＦ６においても書込み動作を行い、それ以外のサブフィールドでは書込み動作を行わない。また、例えば、階調値「１３」を表示する放電セルでは、輝度重み「１」のサブフィールドＳＦ１と、輝度重み「８」のサブフィールドＳＦ３と、輝度重み「４」のサブフィールドＳＦ４とで書込み動作を行うとともに、輝度重み「１」のサブフィールドＳＦ６においても書込み動作を行い、それ以外のサブフィールドでは書込み動作を行わない。
【０１９７】
このように、本実施の形態では、短残光蛍光体用コーディングにもとづき書込み動作を行う放電セルに関しては、サブフィールドＳＦ１で書込み動作を行うときには、サブフィールドＳＦ１と同じ輝度重み「１」を持つサブフィールドＳＦ６においても同様に書込み動作を行うものとする。
【０１９８】
これは、サブフィールドＳＦ１の維持期間にシャッタが開ききらないことにより生じる発光輝度の低下を補うためである。時定数の小さい短残光蛍光体を用いた放電セルに関しては、上述したように、サブフィールドＳＦ１におけるシャッタの透過率が下がることで、使用者に輝度の低下が知覚されるおそれがあるため、サブフィールドＳＦ１を輝度重み「１」として計算することができない。そこで、本実施の形態では、サブフィールドＳＦ１と同じ輝度重みの「補助サブフィールド」（図７、図８に示す例では、サブフィールドＳＦ６）を設け、短残光蛍光体用コーディングにおいては、サブフィールドＳＦ１で書込み動作を行うときには、この補助サブフィールドにおいても書込み動作を行うものとする。
【０１９９】
逆に、時定数の大きい長残光蛍光体を用いた放電セルに関しては、上述したように、サブフィールドＳＦ１におけるシャッタの透過率が５０％程度であっても、使用者には輝度の低下が実質的に知覚されない。したがって、長残光蛍光体用コーディングにもとづき書込み動作が行われる放電セルにおいては、サブフィールドＳＦ１を輝度重み「１」として計算することができる。そこで、長残光蛍光体用コーディングにおいては、図７に示すように、いずれの階調値においても、補助サブフィールド（サブフィールドＳＦ６）で書込み動作を行わないものとする。
【０２００】
このように、本実施の形態では、長残光蛍光体を用いた放電セルにおいては書込み動作を行わず、短残光蛍光体を用いた放電セルにおいてはサブフィールドＳＦ１で書込み動作を行うときに必ず書込み動作を行う「補助サブフィールド」を設けるものとする。すなわち、この補助サブフィールドは、長残光蛍光体用コーディングにおいては常に非発光となり、短残光蛍光体用コーディングにおいては常にサブフィールドＳＦ１と同じ書込み動作を行うことになる。本実施の形態においては、この補助サブフィールドを設けることにより、短残光蛍光体を用いた放電セルにおいてサブフィールドＳＦ１の維持期間に生じる発光輝度の低下を補い、色相の変化が発生するのを防止することが可能となる。
【０２０１】
なお、プラズマディスプレイ装置４０に用いるコーディングおよびパネル１０に表示する階調値は、何ら図７、図８に示すコーディングに限定されるものではない。パネル１０にどのような階調値を表示し、補助サブフィールドを除く各サブフィールドの発光、非発光をどのように組み合わせるかは、プラズマディスプレイ装置４０の仕様等にあわせて設定すればよい。
【０２０２】
なお、本実施の形態では、サブフィールドＳＦ６を補助サブフィールドとする構成を説明したが、残光によるクロストークを低減するためには、１フィールド内の最終サブフィールドを補助サブフィールドとすることが望ましい。これは、長残光蛍光体を用いた放電セルにおいて、最終サブフィールドを常に非発光にできるので、その間に残光を低減することができるためである。逆に、短残光蛍光体を用いた放電セルにおいては、最終サブフィールドで発光が生じても、残光時間が短いためクロストークを悪化させることはない。
【０２０３】
なお、本実施の形態では、補助サブフィールドの輝度重みをサブフィールドＳＦ１の輝度重みと等しい数値にする構成を説明したが、本発明は何らこの構成に限定されるものでない。補助サブフィールドは、短残光蛍光体を用いた放電セルにおいて、サブフィールドＳＦ１の維持期間にシャッタの透過率を下げることで生じる発光輝度の低下を補うためのサブフィールドである。したがって、その発光輝度の低下を補うだけの輝度重みであればよい。例えば、使用者に、短残光蛍光体を用いた放電セルにおいてサブフィールドＳＦ１の発光輝度が５０％低下して知覚されるときには、補助サブフィールドの輝度重みをサブフィールドＳＦ１の輝度重みの半分とし、補助サブフィールドの維持期間に発生する維持パルスの数をサブフィールドＳＦ１の半分とする構成であってもよい。
【０２０４】
以上示したように、本実施の形態においては、３Ｄ画像信号にもとづきパネル１０を駆動する際に、１フィールドの先頭サブフィールド（サブフィールドＳＦ１）を全セル初期化動作を行う全セル初期化サブフィールドとするとともに、１フィールドの最終サブフィールド（例えば、サブフィールドＳＦ６）を短残光蛍光体を用いた放電セルに生じる発光輝度の低下を補うための補助サブフィールドとする。
【０２０５】
また、右目用フィールドおよび左目用フィールドともに、サブフィールドＳＦ１の全セル初期化期間は右目用シャッタ５２Ｒおよび左目用シャッタ５２Ｌがともに閉じた状態となるように、かつ、サブフィールドＳＦ１の維持期間におけるシャッタの透過率の平均値が１００％未満（例えば、５０％程度）となるように、シャッタ眼鏡５０を制御するものとする。
【０２０６】
これにより、パネル１０に表示される３Ｄ画像をシャッタ眼鏡５０を通して観賞する使用者に、サブフィールドＳＦ１の全セル初期化動作によって発生する発光を観測されないようにすることができる。したがって、この放電による発光分の輝度を低減して良好な黒輝度にし、表示画像におけるコントラストを高めることが可能となる。さらに、サブフィールドＳＦ１の維持期間が開始するときにシャッタが完全に開くようにシャッタ眼鏡５０を制御する構成と比較して、次フィールドに漏れ込む残光を低減し、クロストークを抑制することが可能となる。
【０２０７】
また、このようにシャッタ眼鏡５０を制御することで短残光蛍光体を用いた放電セルにおいてサブフィールドＳＦ１の維持期間に生じる発光輝度の低下を、補助サブフィールドによって補い、色相の変化が発生するのを防止することが可能となる。本実施の形態では、このようにして、パネル１０に表示される３Ｄ画像をシャッタ眼鏡５０を通して観賞する使用者に、品質の高い３Ｄ画像を提供することが可能となる。
【０２０８】
なお、図７、図８に示したコーディングには、例えば、階調値「１０」、「１２」、「１４」、・・・等の階調値が設定されていないが、これらの階調値は、例えば一般に知られている誤差拡散法やディザ法を用いることで擬似的に表示することができる。
【０２０９】
なお、本実施の形態では、蛍光体層３５Ｒおよび蛍光体層３５Ｇには時定数３ｍｓｅｃ程度の長残光蛍光体を用い、蛍光体層３５Ｂには時定数０．１ｍｓｅｃ程度の短残光蛍光体用いるとともに、原色信号ｓｉｇＲ、原色信号ｓｉｇＧに対しては長残光用コーディングを用い、原色信号ｓｉｇＢに対しては短残光用コーディングを用いる構成を説明したが、本発明は何らこの構成に限定されるものではない。例えば、蛍光体層３５Ｇおよび蛍光体層３５Ｂに長残光蛍光体を用い、蛍光体層３５Ｒに短残光蛍光体用いる構成であってもよい。あるいは、蛍光体層３５Ｒおよび蛍光体層３５Ｂに長残光蛍光体を用い、蛍光体層３５Ｇに短残光蛍光体用いる構成であってもよい。あるいは、蛍光体層３５Ｒ、蛍光体層３５Ｇ、蛍光体層３５Ｂのいずれか１つに長残光蛍光体を用い、残りの２つに短残光蛍光体用いる構成であってもよい。ただし、いずれの場合においても、長残光蛍光体を用いた放電セルに対応する原色信号には、補助サブフィールドを常に非発光とする長残光用コーディングを用い、短残光蛍光体を用いた放電セルに対応する原色信号には、補助サブフィールドにサブフィールドＳＦ１と同じ書込み動作を行う短残光用コーディングを用いるものとする。
【０２１０】
なお、本実施の形態では、３Ｄ駆動時の全セル初期化動作において走査電極２２に印加する駆動電圧波形と、２Ｄ駆動時の全セル初期化動作において走査電極２２に印加する駆動電圧波形とを互いに同じ波形形状にする構成を説明したが、本発明は何らこの構成に限定されるものではない。例えば、３Ｄ駆動時の全セル初期化動作における上り傾斜波形電圧の勾配を２Ｄ駆動時の全セル初期化動作における上り傾斜波形電圧の勾配よりも急峻にし、あるいは、３Ｄ駆動時の全セル初期化動作における下り傾斜波形電圧の勾配を２Ｄ駆動時の全セル初期化動作における下り傾斜波形電圧の勾配よりも急峻にして、３Ｄ駆動時の全セル初期化動作を行う構成としてもよい。
【０２１１】
なお、本実施の形態では、３Ｄ駆動時における電圧Ｖｉ２と２Ｄ駆動時における電圧Ｖｉ２とを互いに等しい電圧値に設定する構成を説明したが、これらの電圧値は互いに異なる値であってもよい。
【０２１２】
なお、図４、図５、図６に示した駆動電圧波形は本発明の実施の形態における一例を示したものに過ぎず、本発明は何らこれらの駆動電圧波形に限定されるものではない。また、図３に示した回路構成も本発明の実施の形態における一例を示したものに過ぎず、本発明は何らこの回路構成に限定されるものではない。
【０２１３】
なお、図５には、サブフィールドＳＦ６の終了後からサブフィールドＳＦ１の開始前までの間に、下り傾斜波形電圧を発生して走査電極ＳＣ１〜走査電極ＳＣｎに印加する例を示したが、これらの電圧は発生せずともよい。例えば、サブフィールドＳＦ６の終了後からサブフィールドＳＦ１の開始前までの間は、走査電極ＳＣ１〜走査電極ＳＣｎ、維持電極ＳＵ１〜維持電極ＳＵｎ、データ電極Ｄ１〜データ電極Ｄｍをともに０（Ｖ）に保持する構成であってもよい。
【０２１４】
なお、本発明の実施の形態においては、２Ｄ駆動時においては１つのフィールドを８つのサブフィールドで構成し、３Ｄ駆動時においては１つのフィールドを６つのサブフィールドで構成する例を説明した。しかし、本発明は１フィールドを構成するサブフィールドの数が何ら上記の数に限定されるものではない。例えば、サブフィールドの数をより多くすることで、パネル１０に表示できる階調の数をさらに増加することができる。
【０２１５】
また、本発明の実施の形態においては、２Ｄ駆動時においてはサブフィールドＳＦ１〜サブフィールドＳＦ８の各サブフィールドの輝度重みを（１、２、４、８、１６、３２、６４、１２８）に設定し、３Ｄ駆動時においてはサブフィールドＳＦ１〜サブフィールドＳＦ６の各サブフィールドの輝度重みを（１、１６、８、４、２、１）に設定する例を説明した。しかし、各サブフィールドに設定する輝度重みは、何ら上記の数値に限定されるものではない。例えば、３Ｄ駆動時においてサブフィールドＳＦ１〜サブフィールドＳＦ６の各サブフィールドの輝度重みを（１、１２、７、３、２、１）等として階調を決めるサブフィールドの組合せに冗長性を持たせることにより、動画擬似輪郭の発生を抑制したコーディングが可能となる。１フィールドを構成するサブフィールドの数や、各サブフィールドの輝度重み等は、パネル１０の特性やプラズマディスプレイ装置４０の仕様等に応じて適宜設定すればよい。
【０２１６】
なお、本発明における実施の形態に示した各回路ブロックは、実施の形態に示した各動作を行う電気回路として構成されてもよく、あるいは、同様の動作をするようにプログラミングされたマイクロコンピュータ等を用いて構成されてもよい。
【０２１７】
なお、本実施の形態では、１画素をＲ、Ｇ、Ｂの３色の放電セルで構成する例を説明したが、１画素を４色あるいはそれ以上の色の放電セルで構成するパネルにおいても、本実施の形態に示した構成を適用することは可能であり、同様の効果を得ることができる。
【０２１８】
なお、本発明の実施の形態において示した具体的な数値は、画面サイズが５０インチ、表示電極対２４の数が１０２４のパネル１０の特性にもとづき設定したものであって、単に実施の形態における一例を示したものに過ぎない。本発明はこれらの数値に何ら限定されるものではなく、各数値はパネルの特性やプラズマディスプレイ装置の仕様等にあわせて最適に設定することが望ましい。また、これらの各数値は、上述した効果を得られる範囲でのばらつきを許容するものとする。また、１フィールドを構成するサブフィールドの数や各サブフィールドの輝度重み等も本発明における実施の形態に示した値に限定されるものではなく、また、画像信号等にもとづいてサブフィールド構成を切り換える構成であってもよい。
【産業上の利用可能性】
【０２１９】
本発明は、３Ｄ画像表示装置として使用可能なプラズマディスプレイ装置において、シャッタ眼鏡を通して表示画像を観賞する使用者に対して右目用画像と左目用画像との間に生じるクロストークを低減し、品質の高い３Ｄ画像を実現することができるので、プラズマディスプレイ装置やプラズマディスプレイシステム、加えてパネルの駆動方法として有用である。
【符号の説明】
【０２２０】
１０    パネル
２１    前面基板
２２    走査電極
２３    維持電極
２４    表示電極対
２５，３３    誘電体層
２６    保護層
３１    背面基板
３２    データ電極
３４    隔壁
３５，３５Ｒ，３５Ｇ，３５Ｂ    蛍光体層
４０    プラズマディスプレイ装置
４１    画像信号処理回路
４２    データ電極駆動回路
４３    走査電極駆動回路
４４    維持電極駆動回路
４５    制御信号発生回路
４６    タイミング信号出力部
５０    シャッタ眼鏡
５２Ｒ    右目用シャッタ
５２Ｌ    左目用シャッタ
Ｌ１，Ｌ２，Ｌ４    ランプ電圧
Ｌ３    消去ランプ電圧
【図１】
2011111390.tif 000003
【図２】
2011111390.tif 000004
【図３】
2011111390.tif 000005
【図４】
2011111390.tif 000006
【図５】
2011111390.tif 000007
【図６】
2011111390.tif 000008
【図７】
2011111390.tif 000009
【図８】
2011111390.tif 000010
【手続補正書】
【提出日】平成24年3月6日(2012.3.6)
【手続補正１】
【補正対象書類名】明細書
【補正対象項目名】００５０
【補正方法】変更
【補正の内容】
【００５０】
また、入力される画像信号が、右目用画像信号と左目用画像信号とを有する立体視用の３Ｄ画像信号であり、その３Ｄ画像信号をパネル１０に表示する際には、右目用画像信号と左目用画像信号とがフィールド毎に交互に画像信号処理回路４１に入力される。したがって、画像信号処理回路４１は、右目用画像信号を右目用画像データに変換し、左目用画像信号を左目用画像データに変換する。
【国際調査報告】
2011111390.tif 000011
2011111390.tif 000012
2011111390.tif 000013
2011111390.tif 000014